(57)【特許請求の範囲】
【請求項１】
刃体と、前記刃体を収容するフロントケース及びリアケースを含んで構成された枠体とを備えた剃刀ヘッドであって、
前記フロントケースは、
中央に開口部を有する矩形で平板状の主板と、
前記主板の長辺側の端部から前記リアケース側に延びる第１フロント長側板と、
前記主板の前記長辺と対向する長辺側の端部から前記リアケース側に延びる第２フロント長側板と、
前記第１フロント長側板の端部から前記第２フロント長側板に向かって延びる第１爪部及び第２爪部と、
前記第２フロント長側板の端部から前記第１フロント長側板に向かって延びる第３爪部及び第４爪部と、を有し、
前記リアケースは、
前記主板と対向するよう設けられた平板状の矩形状部分を有する底板と、
前記底板の長辺側の端部から前記フロントケース側に延び、端面が前記主板と対向する第１リア長側板と、
前記底板の前記長辺と対向する長辺側の端部から前記フロントケース側に延び、端面が前記主板と対向する第２リア長側板と、を有し、
前記刃体は、刃と、前記底板に当接して前記刃を前記主板側に付勢する弾性部材とを有し、
前記第１爪部、前記第２爪部、前記第３爪部、及び前記第４爪部は、前記リアケースの前記フロントケースの側とは逆側の位置に当接することで、前記リアケースの前記フロントケースから離れる方向への移動を規制しており、
前記第１リア長側板及び前記第２リア長側板は、前記第１フロント長側板及び前記第２フロント長側板の間に位置しており、
前記刃体及び前記枠体は全体が金属で形成されている、
剃刀ヘッド。
【請求項２】
前記第１爪部及び前記第２爪部は、前記第１リア長側板に当接し、
前記第３爪部及び前記第４爪部は、前記第２リア長側板に当接し、
前記第１爪部、前記第２爪部、前記第３爪部、及び前記第４爪部は、長軸方向においてそれぞれ前記底板と傾斜を有して当接している、
請求項１に記載の剃刀ヘッド。
【請求項３】
前記フロントケースは、
前記第１フロント長側板の端部から前記第２フロント長側板に向かって突出した第１位置決め突部と、
前記第２フロント長側板の端部から前記第１フロント長側板に向かって突出した第２位置決め突部と、をさらに有し、
前記第１リア長側板は、前記第１位置決め突部が挿入される第１溝部を有し、
前記第２リア長側板は、前記第２位置決め突部が挿入される第２溝部を有する、
請求項１または請求項２に記載の剃刀ヘッド。
【請求項４】
前記底板は、
前記矩形状部分から前記第１フロント長側板に向かってそれぞれ突出した第１突出部及び第２突出部と、
前記矩形状部分から前記第２フロント長側板に向かってそれぞれ突出した第３突出部及び第４突出部と、を有し、
短軸方向において、前記第１突出部及び前記第２突出部は、前記第３突出部及び前記第４突出部と線対称の位置に配置される、
請求項１から請求項３のいずれか１項に記載の剃刀ヘッド。
【請求項５】
前記第１爪部の短軸方向の長さは、短軸方向における前記第１フロント長側板の端部から前記第１リア長側板までの長さより長く、
前記第２爪部の短軸方向の長さは、短軸方向における前記第２フロント長側板の端部から前記第２リア長側板までの長さより長い、
請求項１から請求項４のいずれか１項に記載の剃刀ヘッド。
【請求項６】
折り曲げられることで組み立てられる剃刀であって、
請求項１から請求項５のいずれか１項に記載の剃刀ヘッドと、
使用者により把持される把持部と、
前記把持部と一体的に形成されたヘッド支持部と、を備え、
前記把持部及び前記ヘッド支持部の全体が紙で形成された、
剃刀。
【請求項７】
刃体と、前記刃体を収容するフロントケース及びリアケースを含んで構成された枠体とを備えた剃刀ヘッドの製造方法であって、
前記フロントケースは、
中央に開口部を有する矩形で平板状の主板と、
前記主板の長辺側の端部から前記リアケース側に延びる第１フロント長側板と、
前記主板の前記長辺と対向する長辺側の端部から前記リアケース側に延びる第２フロント長側板と、
前記第１フロント長側板の端部から前記第２フロント長側板に向かって延びる第１爪部及び第２爪部と、
前記第２フロント長側板の端部から前記第１フロント長側板に向かって延びる第３爪部及び第４爪部と、を有し、
前記リアケースは、
前記主板と対向するよう設けられた平板状の矩形状部分を有する底板と、
前記底板の長辺側の端部から前記フロントケース側に延びる第１リア長側板と、
前記底板の前記長辺と対向する長辺側の端部から前記フロントケース側に延びる第２リア長側板と、を有し、
前記刃体は、刃と、前記底板に当接して前記刃を前記主板側に付勢する弾性部材とを有し、
前記刃体及び前記枠体は全体が金属で形成されており、
前記フロントケースの前記第１爪部、前記第２爪部、前記第３爪部、及び前記第４爪部を直角より小さい角度で短軸方向内側に向かって屈曲させる第１ステップと、
前記フロントケースと前記リアケースとの間に前記刃体を配置する第２ステップと、
前記フロントケースの前記主板に、前記リアケースの前記第１リア長側板及び前記第２リア長側板のそれぞれの端面が対向するように配置する第３ステップと、
前記フロントケースの前記第１爪部、前記第２爪部、前記第３爪部、及び前記第４爪部を押圧することで、前記第１爪部及び前記第２爪部、ならびに前記第３爪部及び前記第４爪部を前記リアケースに当接させる第４ステップと、を有する
剃刀ヘッドの製造方法。
【請求項８】
前記第２ステップにおける前記刃体の移動方向、前記第３ステップにおける前記リアケースの移動方向、及び前記第４ステップにおける前記第１爪部、前記第２爪部、前記第３爪部、及び前記第４爪部の押圧方向がすべて同じ方向である、
請求項７に記載の剃刀ヘッドの製造方法。
【発明の詳細な説明】
【技術分野】
【０００１】
本発明の一態様は、剃刀ヘッドに関する。
【背景技術】
【０００２】
従来の剃刀は、ヘッド及びハンドルが一体となった本体と、樹脂製のケースに金属製の刃が収容された剃刀ヘッドとによって構成されることが一般的である。本体は、樹脂または金属などによって形成されることが多く、収容に大きな容積を必要とするため、保管のための収容スペースを確保する必要があったり、持ち運びに不便であったりするという課題があった。
【０００３】
近年では、物を大切に使い、ごみを減らすリデュース（Reduce）、使える物を繰り返し使用するリユース（Reuse）、及びごみを資源として再び利用するリサイクル（Recycle）の３つのＲ（アール）を総称した３Ｒが提唱されている。上述したように従来の剃刀は樹脂及び金属によって形成されていたが、リサイクルが容易な素材への置き換え（Replace）も求められている。例えば、本体の素材を樹脂から紙に置き換えた剃刀は、環境配慮型の剃刀として循環型社会に寄与することが可能である。また、国連サミットで採択されたＳＤＧｓ（Sustainable Development Goals、持続可能な開発目標）における１７の目標の中には、持続可能な生産消費形態を確保することが挙げられており、廃棄物の発生を大幅に削減することなどが求められている。このような状況のもと、剃刀の分野においても、環境に優しい、３Ｒを満足する剃刀の開発を推進することが求められている。例えば、本体部分が紙などの再生容易な資源を用いて構成された剃刀は、３Ｒを満足し環境に優しい技術として有望である。このような紙などを用いて構成された剃刀は、たとえば特許文献１〜特許文献１２などに開示されている。
【先行技術文献】
【特許文献】
【０００４】
【特許文献１】英国特許出願公開第ＧＢ２２６０９２７号明細書
【特許文献２】米国特許第５０３３１９１号明細書
【特許文献３】特開昭５２−５６４号公報
【特許文献４】特開平１−１５０８６号公報
【特許文献５】登録実用新案第３０１８８２１号公報
【特許文献６】特開２００６−２６３０４８号公報
【特許文献７】特開２０００−１５７７６３号公報
【特許文献８】米国特許第５０２７５１０号明細書
【特許文献９】米国特許第５２７４９２２号明細書
【特許文献１０】特表２０１７−５２０３１７号公報
【特許文献１１】実開平３−１２８０６５号公報
【特許文献１２】特開２０００−３３４１８４号公報
【発明の概要】
【発明が解決しようとする課題】
【０００５】
上記特許文献１〜１２に記載の剃刀は、本体が紙などを用いて構成され環境に配慮した構成にはなっているものの、以下のような課題を有している。特許文献１〜７には、組み立て前の状態において、本体の形状が略矩形のシート状となった剃刀が開示されている。しかしながら、これらの剃刀では、本体を構成するシートの組み立て前の形状を略矩形状にしているため、容易に形成可能ではあるものの、デザインの自由度が制限されるとともに、本体が必要以上に大きくなってしまう。本体が必要以上に大きくなったこのような構成では、本体を構成する紙などの素材の使用量が多くなり環境に優しいとは言い難い。また、特許文献８〜１１に記載の剃刀では、組み立て前の状態における本体の形状が略矩形ではないものの、略矩形のシートに単純な形状のシートが組み合わせられた構成となっている。このため、本体の構成素材である紙などの使用量の削減が十分とは言えなかった。また、特許文献１２に記載の剃刀においても、ホルダー部６の下部は略矩形状になっており、構成素材である紙などの使用量の削減が十分とは言えなかった。
【０００６】
また、上記特許文献１〜１２に記載の剃刀は、使用者がシート状となった本体を複数回折り曲げることで組み立てられる構成となっているため、組み立てに要する工数が多く、また、組み立て方法も複雑になっている。このため、使用者が、剃刀を使用可能な状態にするまで煩雑な操作が必要となり、簡易に組み立て可能な構成となっていなかった。
【０００７】
ところで、特許文献１１及び１２を含む上記特許文献に記載の従来の剃刀は、組み立て前の状態において、本体全体の形状が略矩形のシート状にはなっていないが、組み立て後の状態において、ハンドル（主体片１またはホルダー部６）の下端が直線状に形成されている。例えば、これらの剃刀をユーザが手にとる際には、このような直線状の下端部分がユーザの手指と接触することがある。また、ユーザの剃刀の持ち方によっては、このような直線状の下端部分をユーザが掴んでしまったりすることがある。ユーザがこのような直線状の紙などで形成された部分を掴んだり触れたりすると、ユーザが不快感を覚えてしまうことがあった。このように、従来の剃刀は、ユーザが不快感を覚えることを避けられる構成にする点が十分に考慮されていない場合があった。
【０００８】
また、本体が紙で構成された剃刀を使用する目的のひとつは資源のリサイクルであるが、使用後の剃刀をリサイクルする際には、紙、樹脂及び金属などの素材ごとに分別することが求められることがある。しかしながら、従来の剃刀は、本体全体が紙で構成されていても、剃刀ヘッドの本体からの取り外しが考慮されておらず、本体と剃刀ヘッドとが強固に接着されていたため、本体と剃刀ヘッドとの分離が困難であり、仮に本体と剃刀ヘッドとを分離しようとすると剃刀ヘッドが破損することがあった。そして、本体と剃刀ヘッドとを分離できたとしても、剃刀ヘッドが樹脂素材と金属素材とで構成されているため、剃刀ヘッドが樹脂素材と金属素材とを含み、複数の素材が混合した状態となってしまう。素材のリサイクルを推進するためには、簡易かつ経済的にリサイクルを実行可能であることが求められるが、複数の素材が混在したままでは簡易かつ経済的なリサイクルが困難である。上記のような従来の剃刀ヘッドは、廃棄時における素材の分別が十分であり、素材ごとの分離の容易性が考慮されているとは言い難く、使用後の剃刀を有効にリサイクルすることが困難となる。
【０００９】
また、例えば、特許文献１２に記載の従来の剃刀では、カミソリ刃７の固着された矩形片８の面が、ヘッドを形成する緩弧状の外表面３３と角度を持った面となっている。このため、ユーザがハンドルを操作し、肌に面接触する角度で剃刀の刃を肌に押し当てることが困難となる。また、刃に外力が加わった場合に、紙で形成されたヘッドの端部から刃または剃刀ヘッドが脱落したり、外力によって本体の一部が破損したりすることがある。このような構成は、特許文献１２以外の上記特許文献で共通であるため、本体部分が紙で構成された従来の剃刀が有する共通の課題であった。
【００１０】
本発明は、上記の課題を解決可能な剃刀を提供することを目的とする。
【課題を解決するための手段】
【００１１】
本発明は、上記課題を解決するため、次のような構成の剃刀を提供する。なお、以下の説明において、発明の理解を容易にするために図面中の符号等を括弧書きで付記する場合があるが、本発明の各構成要素はこれらの具体的な構成に限定されるものではなく、当業者が技術的に理解しうる範囲にまで広く解釈されるべきものである。
【００１２】
本発明の一の手段は、
使用者により把持される把持部と、前記把持部と一体的に形成されたヘッド支持部と、前記ヘッド支持部に搭載された剃刀ヘッドと、を備え、折り曲げられることで組み立てられる剃刀であって、
前記把持部及び前記ヘッド支持部の全体が紙で形成され、
前記剃刀ヘッドは、全体が金属で形成されるとともに、刃体と、前記刃体を収容する枠体とを有し、
前記ヘッド支持部は、前記剃刀ヘッドの幅方向の少なくとも両端部を支持する両端支持部を有し、
前記枠体は、周縁部の少なくとも一部に、前記ヘッド支持部と対向する側から形成され、前記刃体により切断された体毛が通過可能であるとともに、前記ヘッド支持部から前記剃刀ヘッドを離脱させる際の力点部を備える切り欠き部を有する、
剃刀である。
【００１３】
上記構成の剃刀によれば、紙で形成された把持部及びヘッド支持部から、金属で形成された剃刀ヘッドを容易に離脱させやすくなり、使用者が容易に分別することができるため、リサイクルを容易にすることができる。特に、上記構成では、離脱を容易にする機能と、剃刀ヘッド内に切断された体毛が残存しないよう通過させる機能とを併せ持つ切り欠き部を設けているため、比較的簡易な構成で、分別廃棄によるリサイクルを容易にしながら、同時に、清潔かつ快適に使用可能な剃刀を提供することが可能となる。
【００１４】
上記剃刀において、好ましくは、
前記切り欠き部と対向する位置の少なくとも一部には前記ヘッド支持部が位置しない。
【００１５】
上記構成の剃刀によれば、使用者がヘッド支持部から剃刀ヘッドを離脱させる際に、切り欠き部に触れやすい構成にしているため、分別廃棄をさらに容易にすることができる。さらに、切断された体毛が切り欠き部から通過しやすくなるため、剃刀ヘッド内への体毛の残存をさらに抑制することができ、より清潔かつ快適に使用可能にすることができる。
【００１６】
上記剃刀において、好ましくは、
前記剃刀ヘッドは、前記刃体により切断された体毛が通過可能である開口部を有し、
前記開口部は、前記ヘッド支持部と対向する面であって、対向する位置に前記ヘッド支持部が位置しない場所に設けられる。
【００１７】
上記構成の剃刀によれば、開口部からも切断された体毛が通過するようになるため、剃刀ヘッド内への体毛の残存をさらに抑制することができ、さらに清潔かつ快適に使用可能な剃刀にすることができる。
【００１８】
上記剃刀において、好ましくは、
前記剃刀ヘッドは、前記切り欠き部が形成された縁部とは逆側の縁部に近い側で、前記ヘッド支持部と接着される。
【００１９】
上記構成の剃刀によれば、ヘッド支持部から剃刀ヘッドを離脱させようと使用者が切り欠き部に力を加えたとき、ヘッド支持部から剃刀ヘッドを離脱させる力が伝達しやすい構成となる。これにより、分別廃棄をさらに容易にすることができる。
【００２０】
上記剃刀において、好ましくは、
前記枠体は、前記刃体が露出する開口部及び前記切り欠き部を有するフロントケースと、リアケースとを含み、
前記フロントケースは、前記リアケースと対向する側が開放された箱状であって、
前記リアケースは、前記フロントケースと対向する側が開放された箱状であって、
前記フロントケースは前記リアケースを覆うよう配置され、
前記切り欠き部が形成された前記フロントケースの縁部と、該縁部に対抗するリアケースの縁部とは、０．５ｍｍ以上３ｍｍ以下の距離を有する。
【００２１】
上記構成の剃刀によれば、使用者がヘッド支持部から剃刀ヘッドを離脱させる際に、切り欠き部にさらに触れやすい構成となるため、分別廃棄をさらに容易にすることができる。
【００２２】
上記剃刀において、好ましくは、
前記剃刀ヘッドは、前記枠体の前記周縁部から所定の範囲に設けられた接着禁止領域を除く接着領域で、前記両端支持部に直接接着される。
【００２３】
上記構成の剃刀によれば、剃刀ヘッドの周縁部がヘッド支持部に接着されていないため、ヘッド支持部から剃刀ヘッドを分離させやすい構成にすることができる。
【００２４】
上記剃刀において、好ましくは、
前記枠体は、前記接着領域の少なくとも一部が平面状である。
【００２５】
上記構成の剃刀によれば、比較的小さい接着領域であっても、ヘッド支持部に剃刀ヘッドを安定的に接着させることが可能となり、分別容易でありながらも快適に使用可能な構成にすることができる。
【００２６】
上記剃刀において、好ましくは、
前記ヘッド支持部は、前記両端支持部と前記把持部との間に形成された三角形状の三角形部をさらに有し、
組み立て前の状態では、
前記ヘッド支持部と前記把持部とが平面状になっており、
前記把持部は、前記幅方向と交差する長手方向に延びて形成され、前記長手方向に延びる中心線に対して対称であって、前記ヘッド支持部の前記三角形部に連結し、前記三角形部との連結部に沿って枝分かれした先細り形状であり、前記三角形部が前記中心線と交わる頂点の近傍において前記幅方向に狭く形成された幅狭部を有し、前記幅狭部から前記連結部とは逆側の端部に向かって前記幅方向に広がるよう形成されており、前記端部は湾曲形状であり、前記中心線に沿って前記頂点から前記端部にかけて中心折り目が形成され、前記連結部に沿って連結折り目が形成され、
前記剃刀ヘッドは、前記幅方向の両端近傍に矩形かつ平面状の矩形平面部をそれぞれ有し、前記矩形平面部が前記両端支持部のおもて面に接着され、
前記把持部の前記縁部に沿って外側に突出するよう形成されるとともに、前記中心線側に折り曲げ可能な折り曲げ部を備え、
前記折り曲げ部は、前記把持部の幅よりも小さい幅を有し、
組み立て時には、使用者によって前記連結折り目及び前記中心折り目に沿って折り曲げられ、これによって前記ヘッド支持部が前記中心線に対して裏面側に傾斜し、
組み立て後の状態では、
前記把持部の前記中心線の部分が背部となり、前記把持部の縁部が腹部となり、
前記背部から連続した前記ヘッド支持部は、前記腹部側に向かって屈曲した状態となる。
【００２７】
本発明の一の手段は、
使用者により把持される把持部と、前記把持部と一体的に形成されたヘッド支持部と、前記ヘッド支持部に搭載された剃刀ヘッドと、を備え、折り曲げられることで組み立てられる剃刀であって、
前記把持部及び前記ヘッド支持部の全体が紙で形成され、
前記剃刀ヘッドの全体が金属で形成され、
組み立て前の状態では、
前記ヘッド支持部と前記把持部とが平面状になっており、
前記ヘッド支持部は、前記剃刀ヘッドの幅方向の少なくとも両端部を支持する両端支持部と、前記両端支持部と前記把持部との間に形成された三角形状の三角形部と、を有し、
前記把持部は、前記幅方向と交差する長手方向に延びて形成され、前記長手方向に延びる中心線に対して対称であって、前記ヘッド支持部の前記三角形部に連結し、前記三角形部との連結部に沿って枝分かれした先細り形状であり、前記三角形部が前記中心線と交わる頂点の近傍において前記幅方向に狭く形成された幅狭部を有し、前記幅狭部から前記連結部とは逆側の端部に向かって前記幅方向に広がるよう形成されており、前記端部は湾曲形状であり、前記中心線に沿って前記頂点から前記端部にかけて中心折り目が形成され、前記連結部に沿って連結折り目が形成され、
前記剃刀ヘッドは、前記幅方向の両端近傍に矩形かつ実質的に平面状の矩形平面部をそれぞれ有し、前記矩形平面部が前記両端支持部のおもて面に接着され、
前記把持部の前記縁部に沿って外側に突出するよう形成されるとともに、前記中心線側に折り曲げ可能な折り曲げ部を備え、
前記折り曲げ部は、前記把持部の幅よりも小さい幅を有し、
組み立て時には、使用者によって前記連結折り目及び前記中心折り目に沿って折り曲げられ、これによって前記ヘッド支持部が前記中心線に対して裏面側に傾斜し、
組み立て後の状態では、
前記把持部の前記中心線の部分が背部となり、前記把持部の縁部が腹部となり、
前記背部から連続した前記ヘッド支持部は、前記腹部側に向かって屈曲した状態となる、
剃刀である。
【００２８】
上記構成の、把持部に幅狭部を有し、幅狭部からヘッド支持部と逆側の端部に向かって幅方向に広がるよう形成される剃刀によれば、平面状の剃刀の外形を矩形状とせずに角を丸くすることができるので、紙の使用量を低減することができる。また、剃刀の外形を矩形状としないことで、デザインの自由度が高まり、本体をコンパクトにすることができる。さらに、ユーザが剃刀を使用する際には幅狭部近傍にユーザの人差指及び親指が位置することとなるが、幅狭部があることでユーザの手指が下側に抜けてしまうことを抑制可能な構成にすることができる。
【００２９】
また、中心線に沿って頂点から端部にかけて中心折り目が形成され、連結部に沿って連結折り目が形成され、組み立て時には、使用者によって連結折り目及び中心折り目に沿って折り曲げられる構成により、中心折り目に沿って把持部を折り曲げると、中心折り目に連なる連結折り目も無理なく折り曲げることができる。同様に、組み立て時において、連結折り目に沿って把持部を折り曲げると、連結折り目に連なる中心折り目も無理なく折り曲げることができる。つまり、たとえばユーザがワンタッチで剃刀を組立可能になるなど、剃刀の組み立てに要する工数を低減し、剃刀の組み立てを容易にすることができる。これにより、使用者が、剃刀を使用可能な状態にするまでの煩雑な操作が不要な構成にすることができる。また、連結折り目が折り曲げられる際に、ヘッド支持部を腹部側に向かってスムーズに屈曲させることができる。
【００３０】
また、上記構成の、ヘッド支持部と逆側の端部が湾曲形状になっている剃刀によれば、組み立て後の状態において、当該端部近傍を直線状に形成せずに丸くすることができる。これにより、例えば、当該端部近傍にユーザの手指が接触したり、剃刀の持ち方によって、ユーザが当該端部近傍を掴んでしまったりしても、ユーザが不快感を覚えてしまうことを抑制することができる。つまり、ユーザが不快感を覚えることを避けられる剃刀を提供することができる。
【００３１】
また、上記構成の、剃刀ヘッドが幅方向の両端近傍に矩形かつ実質的に平面状の矩形平面部をそれぞれ有し、これら２つの矩形平面部が両端支持部のおもて面に接着される構成により、剥がしやすさを考慮した適度な強度で剃刀ヘッドと両端支持部とを接着することができる。これにより、剃刀ヘッドを破損することなく本体と剃刀ヘッドとの分離を容易にすることができるので、分離時に剃刀の刃が剥き出しになることを抑制し、安全性を配慮した剃刀を提供することができる。
【００３２】
また、上記構成の、組み立て後の状態において、背部から連続したヘッド支持部が腹部側に向かって屈曲し、剃刀ヘッドが両端支持部の背部側の面に配置される構成により、剃刀ヘッドと両端支持部の背部側の面とを略平行にすることができるので、ユーザが把持部を操作するときに、肌に面接触する角度で剃刀ヘッドの刃を肌に押し当てることができる。また、刃に外力が加わった場合に、両端支持部の背部側の面と略直交する方向にその外力を受ける従来構成と異なり、当該面に沿ってその外力を受けることができるので、ヘッド支持部から剃刀ヘッドが脱落したり、外力によって本体の一部が破損したりすることを抑制することができる。
【００３３】
また、上記構成の、把持部の縁部に沿って外側に突出するよう形成されるとともに、中心線側に折り曲げ可能な折り曲げ部を備え、折り曲げ部は、把持部の幅よりも小さい幅を有する構成により、折り曲げ部が形成されることで把持部の腹部が丸みを持った形状となり、把持部をユーザにとって持ちやすい形状にすることができる。また、ユーザの指が当接する可能性が高い腹部に鋭利な部分が形成されないので、安全性に配慮した剃刀を提供することができる。
【００３４】
上記剃刀において、好ましくは、
前記ヘッド支持部の前記把持部側とは逆側に設けられ、折り曲げられて前記把持部または前記ヘッド支持部と嵌合されるヘッド固定部をさらに備える。
【００３５】
上記構成の剃刀によれば、ヘッド固定部との嵌合によって把持部またはヘッド支持部の剛性を高めることができるので、剃刀ヘッドの位置を安定させることができる。これにより、当該剃刀が紙で形成されているにも関わらず、把持部またはヘッド支持部に類するものが樹脂または金属などで形成された他の高剛性の剃刀と同様の操作感で使用することができる。
【００３６】
上記剃刀において、好ましくは、
前記把持部は、前記長手方向と交わる面における断面が多角形状で固定されるよう組み立てられる。
【００３７】
上記構成の剃刀によれば、把持部を把持したときの把持部の形状の変化を抑制して把持部の形状を安定させることができる。これにより、把持部を握りやすくすることができるとともに、当該剃刀が紙で形成されているにも関わらず、把持部またはヘッド支持部に類するものが樹脂または金属などで形成された他の高剛性の剃刀と同様の操作感で使用することができる。
【００３８】
上記剃刀において、好ましくは、
組み立て前の状態において、前記把持部は、前記長手方向に延びる長孔部を有している。
【００３９】
上記構成の剃刀によれば、長孔部に使用者の指の腹を添えたときに、長孔部の縁と使用者の指との間で摩擦を発生させることで、使用者の指がかかる部分を形成することができる。これにより、滑りを抑制しながら剃刀を把持しやすくすることができる。
【００４０】
上記剃刀において、好ましくは、
前記剃刀ヘッドの前記把持部側の一部が前記両端支持部から前記把持部側に突出しており、
使用後には前記剃刀ヘッドが前記ヘッド支持部から分離可能である。
【００４１】
上記特許文献の中でも特許文献３〜５などに記載された剃刀のように刃が直接本体に取り付けられている構成では、紙製の本体から金属製の刃を分離することができれば分別廃棄は可能ではある。しかしながら、これらの構成ではリサイクルすることが考慮されていないため、刃が露出した構成となっており、また、刃が本体に強固に接着されているため、リサイクルのために本体と剃刀ヘッドとを分離しようとするユーザの安全性が配慮された構成となっていなかった。このような剃刀の中には、紙の本体を半分に折り曲げて刃を包むことで、安全性が配慮された剃刀もあるが、このような剃刀では、リサイクルが考慮されていない。
【００４２】
上記構成の、剃刀ヘッドの把持部側の一部が両端支持部から把持部側に突出しており、使用後には剃刀ヘッドがヘッド支持部から分離可能な構成により、組み立て時に連結折れ目が折れ曲げられるときに、連結折れ目に沿って枝分かれした把持部の先細り形状した部分が上記把持部側の一部から離れ、剃刀ヘッドの上記把持部側の一部を露出させることができる。これにより、剃刀ヘッドにユーザの指をかけやすい部分を形成することができるので、ユーザは、上記把持部側の一部に指をかけて、剃刀ヘッドをヘッド支持部から安全に分離することができる。そして、分離後の剃刀ヘッド全体が金属で形成され、把持部及びヘッド支持部が紙で一体的に形成されている構成により、剃刀ヘッドを剃刀から分離する一手間だけで、使用後の剃刀を金属素材と紙素材とに分別することができる。これにより、素材ごとの分離を容易にすることができるとともに、簡易かつ経済的にリサイクルを実行することができる。つまり、リサイクルのために本体と剃刀ヘッドとを分離しようとするユーザの安全性に配慮し、リサイクルの実効性を高めた剃刀を提供することができる。
【００４３】
また、剃刀ヘッドの把持部側の一部が、ヘッド支持部の両端支持部から把持部側に突出するよう当該両端支持部に接着された構成により、剃刀ヘッドを三角形部の頂点の近くに配置させることができる。この三角形部の頂点近傍は、屈曲方向への外力がヘッド支持部に加わったときに、変形量が抑制されるため、組み立て後の状態において、腹部側に向かって屈曲したヘッド支持部の屈曲方向へのしなりを適度に抑制し、剃刀ヘッドの屈曲方向についての位置を安定させることができる。
【００４４】
上記剃刀において、好ましくは、
前記ヘッド支持部及び前記把持部は、使用者が前記剃刀ヘッドを肌に接触させたとき、前記剃刀ヘッドが使用者の肌に付勢されるよう弾性的に変形するよう構成されている。
【００４５】
上記構成の剃刀によれば、紙で形成されたヘッド支持部及び把持部が適度な弾性を有し、肌に過度な圧力が与えられることを抑制することができる。
【００４６】
上記剃刀において、好ましくは、
前記把持部は、
前記中心線に対して一方側に形成された、押圧することで変形する挿入部と、
前記中心線に対して他方側の、組み立て後の状態において前記挿入部に対向する位置に形成された、押圧することで変形する挿入孔部と、を有し、
組み立て後の状態では、前記挿入部が前記挿入孔部に挿入され嵌合することで前記把持部が前記中心折り目に沿って折り曲げられた状態で固定される。
【００４７】
上記構成の剃刀によれば、組み立て後の状態において、挿入部と挿入孔部とが篏合することによって中心折り目部分の紙の弾性によって把持部の腹側が開いてしまうことを抑制することができるので、把持部をユーザにとって持ちやすい形状で維持することができる。また、ヘッド支持部の屈曲が背部側に戻ってしまうことを抑制することができるので、ヘッド支持部を把持部に対して適度に屈曲した状態で維持することができる。
【００４８】
上記剃刀において、好ましくは、
前記把持部は、
組み立て後の状態において、前記背部から前記腹部に向かうよう形成された切り込み部を有し、
前記切り込み部を折り曲げることで前記把持部が前記中心折り目に沿って折り曲げられた状態で固定される。
【００４９】
上記構成の剃刀によれば、組み立て後の状態において、中心折り目部分の紙の弾性によって把持部の腹側が開いてしまうことを抑制することができるので、把持部をユーザにとって持ちやすい形状で維持することができる。また、ヘッド支持部の屈曲が背部側に戻ってしまうことを抑制することができるので、ヘッド支持部を把持部に対して適度に屈曲した状態で維持することができる。
【００５０】
上記剃刀において、好ましくは、
組み立て前の状態において、前記把持部の２つの前記縁部のうち、一方の前記縁部から外側に突出するよう形成される突出部と、
他方の前記縁部に形成される切り欠き部と、をさらに備え、
組み立て後の状態では、前記突出部が前記切り欠き部に挿入され嵌合することで前記把持部が前記中心折り目に沿って折り曲げられた状態で固定される。
【００５１】
上記構成の剃刀によれば、組み立て後の状態において、中心折り目部分の紙の弾性によって把持部の腹側が開いてしまうことを抑制することができるので、把持部をユーザにとって持ちやすい形状で維持することができる。また、ヘッド支持部の屈曲が背部側に戻ってしまうことを抑制することができるので、ヘッド支持部を把持部に対して適度に屈曲した状態で維持することができる。
【００５２】
本発明の一の手段は、
刃体と、前記刃体を収容するフロントケース及びリアケースを含んで構成された枠体とを備えた剃刀ヘッドであって、
前記フロントケースは、
中央に開口部を有する矩形で平板状の主板と、
前記主板の長辺側の端部から前記リアケース側に延びる第１フロント長側板と、
前記主板の前記長辺と対向する長辺側の端部から前記リアケース側に延びる第２フロント長側板と、
前記第１フロント長側板の端部から前記第２フロント長側板に向かって延びる第１爪部及び第２爪部と、
前記第２フロント長側板の端部から前記第１フロント長側板に向かって延びる第３爪部及び第４爪部と、を有し、
前記リアケースは、
前記主板と対向するよう設けられた平板状の矩形状部分を有する底板と、
前記底板の長辺側の端部から前記フロントケース側に延び、端面が前記主板と対向する第１リア長側板と、
前記底板の前記長辺と対向する長辺側の端部から前記フロントケース側に垂直に延び、端面が前記主板と対向する第２リア長側板と、を有し、
前記刃体は、刃と、前記底板に当接して前記刃を前記主板側に付勢する弾性部材とを有し、
前記第１爪部、前記第２爪部、前記第３爪部、及び前記第４爪部は、前記リアケースの前記フロントケースの側とは逆側の位置に当接することで、前記リアケースの前記フロントケースから離れる方向への移動を規制しており、
前記第１リア長側板及び前記第２リア長側板は、前記第１フロント長側板及び前記第２フロント長側板の間に位置しており、
前記刃体及び前記枠体は全体が金属で形成されている、
剃刀ヘッドである。
【００５３】
上記の剃刀ヘッドによれば、全体を金属で構成するというこれまでにないカートリッジ型の剃刀ヘッドにおいて、がたつきが少なく形状が安定した剃刀ヘッドを構成することができる。具体的には、４つの爪部を有することで、フロントケースに対してリアケースを長軸方向（ｘ軸方向）においてがたつきなく安定させることができる。また、フロントケース及びリアケースを金属で形成し、第１リア長側板及び第２リア長側板を配置したことで刃体が配置された空間の厚みを一定にすることができるので、弾性部材が刃に与える付勢力を一定の強さにすることができる。これにより、使用時に刃に過度な力が加わった際、弾性部材が撓むことによって刃がｚ軸−側に移動し、刃に過度な力が作用することを和らげることで、刃が使用者の肌に当たる際の圧力を適切な強さにすることができ、適切な剃り具合を実現しつつ、使用者の肌への負担を軽減させた構成にすることが可能となる。
【００５４】
上記剃刀ヘッドにおいて、好ましくは、
前記第１爪部及び前記第２爪部は、前記第１リア長側板に当接し、
前記第３爪部及び前記第４爪部は、前記第２リア長側板に当接し、
前記第１爪部、前記第２爪部、前記第３爪部、及び前記第４爪部は、長軸方向においてそれぞれ前記底板と傾斜を有して当接している。
【００５５】
上記の剃刀ヘッドによれば、第１爪部、第２爪部、第３爪部、及び第４爪部が底板と斜面を有して当接するので、多少の製造ばらつきでサイズが変化した場合であっても、フロントケースに対するリアケースの長軸方向（ｘ軸方向）の位置のばらつきを抑制することができる。
【００５６】
上記剃刀ヘッドにおいて、好ましくは、
前記フロントケースは、
前記第１フロント長側板の端部から前記第２フロント長側板に向かって突出した第１位置決め突部と、
前記第２フロント長側板の端部から前記第１フロント長側板に向かって突出した第２位置決め突部と、をさらに有し、
前記第１リア長側板は、前記第１位置決め突部が挿入される第１溝部を有し、
前記第２リア長側板は、前記第２位置決め突部が挿入される第２溝部を有する。
【００５７】
上記の剃刀ヘッドによれば、フロントケースとリアケースとの位置合わせを簡易かつ正確に行うことができる。
【００５８】
上記剃刀ヘッドにおいて、好ましくは、
前記底板は、
前記矩形状部分から前記第１フロント長側板に向かってそれぞれ突出した第１突出部及び第２突出部と、
前記矩形状部分から前記第２フロント長側板に向かってそれぞれ突出した第３突出部及び第４突出部と、を有し、
短軸方向において、前記第１突出部及び前記第２突出部は、前記第３突出部及び前記第４突出部と線対称の位置に配置される。
【００５９】
上記の剃刀ヘッドによれば、短軸方向（ｙ軸方向）において、フロントケースに対するリアケースの位置を安定させることができる。
【００６０】
上記剃刀ヘッドにおいて、好ましくは、
前記第１爪部の短軸方向の長さは、短軸方向における前記第１フロント長側板の端部から前記第１リア長側板までの長さより長く、
前記第２爪部の短軸方向の長さは、短軸方向における前記第２フロント長側板の端部から前記第２リア長側板までの長さより長い。
【００６１】
上記の剃刀ヘッドによれば、
爪部によって、フロントケースに対するリアケースのｚ軸方向の位置を安定させることができる。また、剃刀ヘッドを組み立てる際には、リアケース１６６がフロントケース１６５の爪部と干渉しないように組み立てつつ、組み立て後には爪部によってリアケースが保持される構成とすることなどできる。また、組み立て時に、リアケース１６６の爪部に対してはｚ軸方向に押圧する力を与えるだけで組み立て可能にすることができる。
【００６２】
また、本発明の一の手段である剃刀は、
折り曲げられることで組み立てられる剃刀であって、
請求項１から請求項５のいずれか１項に記載の剃刀ヘッドと、
使用者により把持される把持部と、
前記把持部と一体的に形成されたヘッド支持部と、を備え、
前記把持部及び前記ヘッド支持部の全体が紙で形成される。
【００６３】
上記の剃刀によれば、紙で形成された把持部及びヘッド支持部と、金属で形成された剃刀ヘッドとを分別廃棄しやすくすることができる。
【００６４】
また、本発明の一の手段である剃刀ヘッドの製造方法は、
刃体と、前記刃体を収容するフロントケース及びリアケースを含んで構成された枠体とを備えた剃刀ヘッドの製造方法であって、
前記フロントケースは、
中央に開口部を有する矩形で平板状の主板と、
前記主板の長辺側の端部から前記リアケース側に延びる第１フロント長側板と、
前記主板の前記長辺と対向する長辺側の端部から前記リアケース側に延びる第２フロント長側板と、
前記第１フロント長側板の端部から前記第２フロント長側板に向かって延びる第１爪部及び第２爪部と、
前記第２フロント長側板の端部から前記第１フロント長側板に向かって延びる第３爪部及び第４爪部と、を有し、
前記リアケースは、
前記主板と対向するよう設けられた平板状の矩形状部分を有する底板と、
前記底板の長辺側の端部から前記フロントケース側に延びる第１リア長側板と、
前記底板の前記長辺と対向する長辺側の端部から前記フロントケース側に延びる第２リア長側板と、を有し、
前記刃体は、刃と、前記底板に当接して前記刃を前記主板側に付勢する弾性部材とを有し、
前記刃体及び前記枠体は全体が金属で形成されており、
前記フロントケースの前記第１爪部、前記第２爪部、前記第３爪部、及び前記第４爪部を直角より小さい角度で短軸方向内側に向かって屈曲させるステップと、
前記フロントケースと前記リアケースとの間に前記刃体を配置するステップと、
前記フロントケースの前記主板に、前記リアケースの前記第１リア長側板及び前記第２リア長側板のそれぞれの端面が対向するように配置するステップと、
前記フロントケースの前記第１爪部、前記第２爪部、前記第３爪部、及び前記第４爪部を押圧することで、前記第１爪部及び前記第２爪部、ならびに前記第３爪部及び前記第４爪部を前記リアケースに当接させるステップと、を有する。
【００６５】
上記剃刀ヘッドの製造方法において、好ましくは、
前記第２ステップにおける前記刃体の移動方向、前記第３ステップにおける前記リアケースの移動方向、及び前記第４ステップにおける前記第１爪部、前記第２爪部、前記第３爪部、及び前記第４爪部の押圧方向がすべて同じ方向である。
【図面の簡単な説明】
【００６６】
【図１】図１は、本実施形態の製造途中における剃刀をおもて側から見た平面図である。
【図２】図２は、本実施形態の製造完了時における剃刀をおもて側から見た平面図である。
【図３】図３は、図１に示す剃刀の挿入部及び挿入孔部近傍の拡大図である。
【図４】図４は、本実施形態の組み立て後の状態における剃刀の斜視図である。
【図５】図５は、本実施形態の組み立て後の状態の剃刀を幅方向から見た平面図である。
【図６】図６は、本実施形態の組み立て後の状態の剃刀をおもて側から見た平面図である。
【図７】図７は、本実施形態の組み立て後の状態の剃刀を裏側から見た平面図である。
【図８】図８は、本実施形態の組み立て後の状態の剃刀を上側から見た平面図である。
【図９】図９は、本実施形態の組み立て後の状態の剃刀を下側から見た平面図である。
【図１０】図１０は、本実施形態の剃刀ヘッドをおもて側から見た平面図である。
【図１１】図１１は、本実施形態の剃刀ヘッドを裏側から見た平面図である。
【図１２】図１２は、実施形態の変形例１の製造完了時における剃刀をおもて側から見た平面図である。
【図１３】図１３は、実施形態の変形例２の製造完了時における剃刀をおもて側から見た平面図である。
【図１４】図１４は、図１３に示す剃刀の切り込み部近傍の拡大図である。
【図１５】図１５は、実施形態の変形例２の小片部が右側に折り曲げられた状態の切り込み部近傍を背側から見た拡大図である。
【図１６】図１６は、実施形態の変形例３の製造完了時における剃刀をおもて側から見た平面図である。
【図１７】図１７は、実施形態の変形例３の右側突出部が切り欠き部に嵌合された状態の右側突出部近傍を腹側から見た拡大図である。
【図１８】図１８は、本実施形態の変形例４の剃刀をおもて側から見た平面図である。
【図１９】図１９は、本実施形態の変形例４の剃刀ヘッドが取り外された状態の剃刀をおもて側から見た平面図である。
【図２０】図２０は、本実施形態の変形例４の組み立て後の状態の剃刀をおもて側から見た平面図である。
【図２１】図２１は、本実施形態の変形例４の組み立て後の状態の剃刀を幅方向から見た平面図である。
【図２２】図２２は、本実施形態の変形例４の組み立て後の状態の剃刀を裏側から見た平面図である。
【図２３】図２３は、本実施形態の変形例４の組み立て後の状態の剃刀を下側から見た平面図である。
【図２４】図２４は、本実施形態の変形例４の剃刀ヘッドの斜視図である。
【図２５】図２５は、本実施形態の変形例５の剃刀をおもて側から見た平面図である。
【図２６】図２６は、本実施形態の変形例５の組み立て後の状態の剃刀をおもて側から見た平面図である。
【図２７】図２７は、本実施形態の変形例５の組み立て後の状態の剃刀を裏側から見た平面図である。
【図２８】図２８は、本実施形態の変形例６の剃刀をおもて側から見た平面図である。
【図２９】図２９は、本実施形態の変形例７の剃刀ヘッドの斜視図である。
【図３０】図３０は、本実施形態の変形例７の剃刀ヘッドを裏側から見た平面図である。
【図３１】図３１は、本実施形態の変形例７の組み立て前の状態の剃刀ヘッドを裏側から見た平面図である。
【図３２】図３２は、本実施形態の変形例７の剃刀ヘッドの分解斜視図である。
【図３３】図３３は、本実施形態の変形例７の剃刀ヘッドの分解斜視図である。
【図３４】図３４は、本実施形態の変形例７の剃刀ヘッドの分解側面図である。
【発明を実施するための形態】
【００６７】
本発明の一形態の剃刀は、ＳＤＧｓの目標達成に寄与するため、３Ｒを満足し環境に優しい構成となっている点を特徴のひとつとする。
【００６８】
本発明の剃刀について、図面を参照しながら具体的に説明する。ただし、以下で説明する実施形態及び実施例はあくまで本発明の一例にすぎず、本発明の技術的範囲を限定的に解釈させるものではない。また、具体的なサイズなどの数値または数値範囲を示して説明した場合もあくまで一例にすぎず、このような数値または数値範囲に限定されるものではない。なお、各図面において、同一の構成要素には同一の符号を付しており、その説明を省略する場合がある。
【００６９】
＜１．実施形態＞
＜（１）剃刀１の構成＞
図１は、本実施形態の製造途中における剃刀をおもて側から見た平面図である。図２は、本実施形態の製造完了時における剃刀をおもて側から見た平面図である。図３は、図１に示す剃刀の挿入部及び挿入孔部近傍の拡大図である。図４は、本実施形態の組み立て後の状態における剃刀の斜視図である。図５は、本実施形態の組み立て後の状態の剃刀を幅方向から見た平面図である。図６は、本実施形態の組み立て後の状態の剃刀をおもて側から見た平面図である。図７は、本実施形態の組み立て後の状態の剃刀を裏側から見た平面図である。図８は、本実施形態の組み立て後の状態の剃刀を上側から見た平面図である。図９は、本実施形態の組み立て後の状態の剃刀を下側から見た平面図である。図１０は、本実施形態の剃刀ヘッドをおもて側から見た平面図である。図１１は、本実施形態の剃刀ヘッドを裏側から見た平面図である。
【００７０】
各図面にはｘ軸、ｙ軸およびｚ軸を示している。剃刀を形成する平面上の紙の紙面に垂直な方向へ向いている軸を「ｚ軸」と定義する。ｚ軸に垂直な軸を「ｙ軸」と定義する。また、ｙ軸およびｚ軸の両方に垂直な軸を「ｘ軸」と定義する。ここでは、ｘ軸、ｙ軸およびｚ軸は、右手系の３次元の直交座標を形成する。以下、ｚ軸の矢印方向をｚ軸＋側、矢印とは逆方向をｚ軸−側と呼ぶことがあり、その他の軸についても同様である。なお、ｚ軸＋側及びｚ軸−側を、それぞれ「おもて側」及び「裏側」と呼ぶこともある。ｘ軸＋側及びｘ軸−側を、それぞれ「右側」及び「左側」と呼ぶこともある。ｙ軸＋側及びｙ軸−側を、それぞれ「上側」及び「下側」と呼ぶこともある。なお、上側及び下側は、ｙ軸に対して主にｚ軸側に傾きを有する場合がある。ｙ軸方向を長手方向と呼ぶこともある。ｘ軸方向を幅方向と呼ぶこともある。ｚ軸方向を厚み方向と呼ぶこともある。また、剃刀ヘッドについて説明する場合には、ｘ軸方向を長軸方向、ｙ軸方向を短軸方向、ｚ軸方向を厚み方向とそれぞれ呼ぶことがある。
【００７１】
図１〜図１１に示されるように、本実施形態の剃刀１は、剃刀ヘッド６１及び本体４０を含んで構成される。本体４０は、把持部１１、折り曲げ部１４ａ及び１４ｂならびにヘッド支持部３１を含んで構成される。
【００７２】
本実施形態の剃刀１の工場での製造方法は、例えば、平面状の本体４０の製造と剃刀ヘッド６１の製造とがそれぞれ別個に行われる。別個に製造された本体４０と剃刀ヘッド６１とが連結されることによって、図１に示す剃刀１が製造される。そして、本体４０の折り曲げ部１４ａ及び１４ｂがそれぞれ裏側に折り曲げられることによって、図２に示す剃刀１の完成品が製造される。つまり、図１に示す剃刀１は、製造途中の状態の剃刀１であり、図２に示す剃刀１は、工場での製造が完了した状態の剃刀１である。図２に示す製造完了時の剃刀１が組み立てられることによって、本体４０が立体的な形状を有する図４〜図９に示す剃刀１となる。
【００７３】
＜本体４０＞
図１に示されるように、本体４０は、紙で一体的に形成される。本体４０は、耐水性を有する紙素材、または表面を耐水コーティングされた紙素材により形成されることが好ましい。本実施形態では、本体４０は、本体４０の輪郭に沿って紙を切断することによって平面状に形成される。本体４０の厚さは、例えば、略１ミリメートルである。本体４０は、ｘｙ平面に平行に延在し、ｙ軸に平行な中心線ＣＬを基準として左右対称な外形を有する。ここで、平面状の本体４０の右側の端部、左側の端部、上端の端部及び下側の端部を、それぞれ右端部４０ａ、左端部４０ｂ、上端部４０ｃ及び下端部４０ｄと定義する。本実施形態では、右端部４０ａから左端部４０ｂまでの全幅Ｗ１は、略５７ミリメートルである。上端部４０ｃから下端部４０ｄまでの全長Ｌ１は、略８９ミリメートルである。
【００７４】
＜折り目＞
本体４０には、剃刀１の製造時及び組み立て時に折り曲げやすいように、中心折り目４１、連結折り目４２ａ及び４２ｂならびに反転折り目４３ａ及び４３が形成される。折り目は、例えば、紙に形成された筋またはミシン目である。中心折り目４１は、本体４０の下端部４０ｄから中心線ＣＬに沿って上側に延びるように形成される。中心折り目４１は、中心線ＣＬ上に位置する頂点１７から上側に向かって、連結折り目４２ａと連結折り目４２ｂとに枝分かれする。
【００７５】
連結折り目４２ｂは、頂点１７から本体４０の左側の端まで左上に延びるように形成される。連結折り目４２ｂは、曲線折り目４２ｂｃ及び直線折り目４２ｂｓを含んで構成される。曲線折り目４２ｂｃは、頂点１７に接続され、右側が凸となるように湾曲している。直線折り目４２ｂｓは、曲線折り目４２ｂｃの左側において曲線折り目４２ｂｃに接続され、本体４０の左側の端まで略直線状に延びている。
【００７６】
連結折り目４２ａは、中心線ＣＬを基準として連結折り目４２ｂと左右対称となるように、頂点１７から本体４０の右側の端まで右上に延びるように形成される。連結折り目４２ａは、曲線折り目４２ａｃ及び直線折り目４２ａｓを含んで構成される。曲線折り目４２ａｃは、中心線ＣＬを基準として曲線折り目４２ｂｃと左右対称な形状を有する。直線折り目４２ａｓは、中心線ＣＬを基準として直線折り目４２ｂｓと左右対称な形状を有する。
【００７７】
平面状の本体４０において、連結折り目４２ａ及び４２ｂは、把持部１１とヘッド支持部３１との境界となっている。本実施形態では、連結折り目４２ａ及び４２ｂの下側が把持部１１となり、連結折り目４２ａ及び４２ｂの上側がヘッド支持部３１となる。以下、平面状の本体４０において、連結折り目４２ａ及び４２ｂに沿った部分を、それぞれ連結部４６ａ及び４６ｂと称することがある。つまり、連結部４６ａ及び４６ｂは、把持部１１とヘッド支持部３１とを連結する。
【００７８】
反転折り目４３ａは、平面状の本体４０において、後述する把持部１１ａと折り曲げ部１４ａとの境界に形成される。すなわち、反転折り目４３ａは、中心折り目４１ならびに連結折り目４２ａ及び４２ｂと交わらず、中心折り目４１の右側において、中心折り目４１に近づきながら上側に向かって延びるように形成される。反転折り目４３ｂは、平面状の本体４０において、後述する把持部１１ｂと折り曲げ部１４ｂとの境界に形成される。すなわち、反転折り目４３ｂは、中心線ＣＬを基準として反転折り目４３ａと左右対称となるように形成される。本実施形態では、反転折り目４３ａの左側が把持部１１となり、反転折り目４３ａの右側が折り曲げ部１４ａとなる。反転折り目４３ｂの右側が把持部１１となり、反転折り目４３ｂの左側が折り曲げ部１４ｂとなる。反転折り目４３ａ及び４３ｂは、それぞれ直線状に形成される。
【００７９】
＜ヘッド支持部３１＞
ヘッド支持部３１は、矩形部３２及び三角形部３３を含んで構成される。矩形部３２は、幅方向すなわちｘ軸方向に延びた略矩形状を有する。矩形部３２は、剃刀ヘッド６１の少なくとも両端を支持しており、本発明における「両端支持部の」一例である。矩形部３２のｘ軸方向の幅Ｗ４は、略４２ミリメートルである。矩形部３２のｚ軸＋側すなわちおもて側には、平坦な貼り付け面３２ａが形成される。貼り付け面３２ａには、幅方向の両端近傍にそれぞれ接着剤６４が塗布されて剃刀ヘッド６１が接着される。
【００８０】
三角形部３３は、矩形部３２と把持部１１との間に形成され、下側に尖った略三角形状を有する。三角形部３３の下側の頂点１７は、中心線ＣＬ上に位置する。三角形部３３は、頂点１７に向かって先細り形状になるよう湾曲している。
【００８１】
また、平面状の本体４０をおもて側から平面視したときに、頂点１７を挟んで隣接する三角形部３３の２辺のうち、一方の辺の矩形部３２側の一部が延びる方向と、他方の辺の矩形部３２側の一部が延びる方向と、のなす角度αは、８０°以上１２０°以下である。好ましくは、角度αは、９０°以上１１０°以下である。本実施形態では、直線折り目４２ａｓを頂点１７側に延ばした線と、直線折り目４２ｂｓを頂点１７側に延ばした線とのなす角度αは、略１０２°である。
【００８２】
＜把持部１１＞
把持部１１は、ｙ軸方向に延びるよう形成され、ユーザなどにより把持される。把持部１１は、中心線ＣＬに対して左右対称に形成され、頂点１７の近傍において幅方向に狭く形成された幅狭部１１ｃを有する。本実施形態では、幅狭部１１ｃのｘ軸方向の幅Ｗ２は、略２２ミリメートルである。
【００８３】
幅狭部１１ｃの下側では、把持部１１は、幅狭部１１ｃから下端部４０ｄに向かって幅方向に広がるよう形成された幅広部１１ｄを有する。本実施形態では、幅広部１１ｄのｘ軸方向の幅Ｗ３は、略３６ミリメートルである。
【００８４】
把持部１１の下側近傍の端部は、湾曲形状になっている。本実施形態では、把持部１１は、幅広部１１ｄの左端から下端部４０ｄを経由して幅広部１１ｄの右端までの間において、中心線ＣＬを基準として左右対称となり、下側が凸となるように湾曲している。
【００８５】
把持部１１は、中心折り目４１の右側に位置する把持部１１ａと、中心折り目４１の左側に位置し、中心線ＣＬを基準として把持部１１ａと左右対称な形状を有する把持部１１ｂと、を含んで構成される。頂点１７の上側では、把持部１１は、三角形部３３との連結部４６ａ及び４６ｂに沿って枝分かれした先細り形状に形成される。詳細には、把持部１１ｂは、連結部４６ｂを介してヘッド支持部３１の三角形部３３の左側に連結される。把持部１１ｂは、左側の縁部１２ｂと連結折り目４２ｂとが近づきながら左上側に延びる形状を有する。把持部１１ｂの上端は、ヘッド支持部３１の矩形部３２の左下の角に接続される。同様に、把持部１１ａは、連結部４６ａを介してヘッド支持部３１の三角形部３３の右側に連結される。把持部１１ａは、右側の縁部１２ａと連結折り目４２ａとが近づきながら右上側に延びる形状を有する。把持部１１ａの上端は、ヘッド支持部３１の矩形部３２の右下の角に接続される。
【００８６】
＜挿入部５１及び挿入孔部５２＞
把持部１１は、挿入部５１及び挿入孔部５２を含んで構成される。挿入部５１は、中心線ＣＬに対して一方側に形成され、押圧することで変形する。挿入孔部５２は、中心線ＣＬに対して他方側の、組み立て後の状態において挿入部５１に対向する位置に形成され、押圧することで変形する。本実施形態では、挿入部５１及び挿入孔部５２は、それぞれ把持部１１ａ及び１１ｂに形成される。なお、挿入部５１及び挿入孔部５２は、それぞれ把持部１１ｂ及び１１ａに形成されてもよい。挿入部５１及び挿入孔部５２の具体的な構成は、主に図３の拡大図に示されている。
【００８７】
挿入部５１は、ｘ軸に平行な対称線ＳＬを基準として上下対称の形状を有し、幅広部５１ｂ及び根本部５１ｃを含んで構成される。根本部５１ｃは、対称線ＳＬを基準として上下対称であり、ｙ軸方向に長い矩形を有する。幅広部５１ｂは、対称線ＳＬを基準として上下対称であり、根本部５１ｃの右側に位置する。幅広部５１ｂの上側及び下側は、それぞれ上側及び下側に向かって三角形状に突出した形状を有する。
【００８８】
本実施形態では、挿入部５１は、対称線ＳＬを基準として上下対称の切り込み５１ａによって形成される。切り込み５１ａは、把持部１１ａに形成され、平面状の把持部１１ａをおもて側から平面視したときに、上側部５１ａａ、上側突出部５１ａｂ、右側部５１ａｃ、下側突出部５１ａｄ及び下側部５１ａｅを含んで構成される。
【００８９】
上側部５１ａａは、根本部５１ｃの上側の境界（辺）になる部分であり、ｘ軸と平行に延びる切り込みである。下側部５１ａｅは、根本部５１ｃの下側の境界（辺）になる部分であり、対称線ＳＬを基準として上側部５１ａａと上下対称な切り込みである。上側突出部５１ａｂは、幅広部５１ｂの上側の境界となる部分であり、上側部５１ａａの右端と連続する切り込みである。下側突出部５１ａｄは、幅広部５１ｂの下側の境界となる部分であり、下側部５１ａｅの右端と連続する切り込みである。右側部５１ａｃは、幅広部５１ｂの右側の境界（辺）になる部分であり、ｙ軸と平行に延びる切り込みである。右側部５１ａｃの上端及び下端は、上側突出部５１ａｂの右端及び下側突出部５１ａｄの右端とそれぞれ連続する。
【００９０】
挿入孔部５２は、対称線ＳＬを基準として上下対称の切り込み５２ａによって形成される。切り込み５２ａは、把持部１１ｂに形成され、平面状の把持部１１ｂをおもて側から平面視したときに、上側部５２ａａ、縦長部５２ａｂ、下側部５２ａｃ及び横長部５２ａｄを含んで構成される。縦長部５２ａｂは、対称線ＳＬを基準として上下対称となるようにｙ軸と平行に延びる切り込みである。上側部５２ａａは、縦長部５２ａｂの上端と連続し、右上に向かって延びる切り込みである。下側部５２ａｃは、縦長部５２ａｂの下端と連続し、対称線ＳＬを基準として上側部５２ａａと上下対称に右下に向かって延びる切り込みである。横長部５２ａｄは、縦長部５２ａｂの中点に接続し、対称線ＳＬ上を左側に延びる切り込みである。
【００９１】
ここで、上側部５２ａａの右端及び左端ならびに下側部５２ａｃの右端及び左端の４点で囲まれる範囲を、台形部５２ｂと定義する。上側部５２ａａの上側の領域を係合領域５２ｃと定義する。下側部５２ａｃの下側の領域を係合領域５２ｄと定義する。縦長部５２ａｂの左側の領域であって横長部５２ａｄの上側の領域を上側矩形部５２ｅと定義する。縦長部５２ａｂの左側の領域であって横長部５２ａｄの下側の領域を下側矩形部５２ｆと定義する。
【００９２】
挿入部５１及び挿入孔部５２は、平面状の把持部１１をおもて側から平面視したときに、把持部１１のｙ軸方向の中心を基準として下端部４０ｄ側に位置する。具体的には、挿入部５１及び挿入孔部５２の対称線ＳＬは、例えば、下端部４０ｄから１９ミリメートル上側に離れた位置に位置する。
【００９３】
挿入部５１における、上側突出部５１ａｂの上端と下側突出部５１ａｄの下端との間の距離Ｒ２４は、挿入孔部５２における、上側部５２ａａの上端と下側部５２ａｃの下端との間の距離Ｒ２５と略同じである。本実施形態では、距離Ｒ２４及びＲ２５は、ともに略１２ミリメートルである。
【００９４】
挿入部５１における、上側部５１ａａと下側部５１ａｅとの間の距離Ｒ２６は、挿入孔部５２における、縦長部５２ａｂの上端と下端との間の距離Ｒ２７と略同じであり、かつ距離Ｒ２４及びＲ２５より短い。本実施形態では、距離Ｒ２６及びＲ２７は、ともに略９ミリメートルである。
【００９５】
中心線ＣＬと挿入部５１の右側部５１ａｃとの間の距離Ｒ２１は、中心線ＣＬと挿入孔部５２の縦長部５２ａｂとの間の距離Ｒ２２より大きく、かつ中心線ＣＬと挿入孔部５２の横長部５２ａｄの左端との間の距離Ｒ２３より小さい。本実施形態では、距離Ｒ２１、Ｒ２２及びＲ２３は、それぞれ略８．５ミリメートル、略６ミリメートル及び略１１ミリメートルである。
【００９６】
挿入部５１における中心線ＣＬと下側部５１ａｅの左端との間の距離Ｒ２８は、挿入孔部５２における中心線ＣＬと下側部５２ａｃの右端との間の距離Ｒ２９より短い。本実施形態では、距離Ｒ２８及びＲ２９は、それぞれ略３ミリメートル及び略５ミリメートルである。
【００９７】
＜折り曲げ部１４ａ及び１４ｂ＞
図１及び図２に示されるように、折り曲げ部１４ｂは、把持部１１ｂの左側の縁部１２ｂに沿って外側に突出するよう形成される。折り曲げ部１４ｂの幅方向の長さは、把持部１１の幅方向の長さより小さい。平面状の本体４０をおもて側から平面視したときに、折り曲げ部１４ｂのｙ軸方向に沿った長さ（以下、折り曲げ部長Ｌ３と称することがある。）を、把持部１１ｂのｙ軸方向に沿った長さ（以下、把持部長Ｌ２と称することがある。）で除した値が、０．２５以上である。本実施形態では、折り曲げ部長Ｌ３及び把持部長Ｌ２は、それぞれ略４６ミリメートル及び略８０ミリメートルである。そして、折り曲げ部長Ｌ３を把持部長Ｌ２で除した値が、略０．５８である。
【００９８】
折り曲げ部１４ｂは、中心線ＣＬ側に折り曲げられる。本実施形態では、折り曲げ部１４ｂは、折り曲げ部１４ｂが把持部１１ｂの裏側に位置するように反転折り目４３ｂに沿って折り曲げられる。折り曲げ部１４ａは、中心線ＣＬを基準として折り曲げ部１４ｂと左右対称な形状を有する。折り曲げ部１４ａは、折り曲げ部１４ｂと同様に、折り曲げ部１４ａが把持部１１ｂの裏側に位置するように反転折り目４３ａに沿って折り曲げられる。
【００９９】
このように、折り曲げ部１４ａ及び１４ｂがともに折り曲げられた状態（以下、「製造完了状態」と称することがある。）で、剃刀１は、工場から出荷される（図２参照）。製造完了状態の剃刀１をおもて側から平面視したときに、折り曲げ部１４ｂの外側の縁１６ｂは、中心線ＣＬと略平行であり、かつ把持部１１の中心折り目４１での折り曲げ時に障害とならないような距離を中心線ＣＬから開けて中心線ＣＬの左側に位置する。折り曲げ部１４ａの外側の縁１６ａは、中心線ＣＬを基準として縁１６ｂと左右対称になっている。
【０１００】
折り曲げ部１４ｂは、組み立て後の状態で挿入部５１と挿入孔部５２とが嵌合する部分に形成された切り欠き部１５ｂを有する。切り欠き部１５ｂのｙ軸方向に沿った長さ（以下、切り欠き部長Ｌ４と称することがある。）を、折り曲げ部長Ｌ３で除した値が、０．２６以上である（図１参照）。本実施形態では、切り欠き部長Ｌ４は、略１８ミリメートルである。そして、切り欠き部長Ｌ４を折り曲げ部長Ｌ３で除した値が、略０．３９である。折り曲げ部１４ａは、中心線ＣＬを基準として切り欠き部１５ｂと左右対称な形状の切り欠き部１５ａを有する。
【０１０１】
折り曲げ部１４ｂが折り曲げられたときに、折り曲げ部１４ｂに切り欠き部１５ｂが形成されているため、折り曲げ部１４ｂと挿入孔部５２とが重なることが回避されている（図２参照）。同様に、折り曲げ部１４ａが折り曲げられたときに、折り曲げ部１４ａに切り欠き部１５ａが形成されているため、折り曲げ部１４ａと挿入部５１とが重なることが回避されている（図２参照）。これにより、把持部１１を中心折り目４１で折り曲げた状態において、挿入部５１と挿入孔部５２とを物理的な障害なく嵌合させることができる。
【０１０２】
＜剃刀ヘッド６１＞
図１０及び図１１に示されるように、剃刀ヘッド６１は、全体が金属によって形成され、枠体及び刃体６２を含んで構成される。枠体は、フロントケース６５及びリアケース６６を含んで構成される。フロントケース６５とリアケース６６とが連結されることで枠体が箱状になり、内部空間が形成される。刃体６２は、当該内部空間に収容される。
【０１０３】
本実施形態では、刃体６２は、ｘ軸方向に延びる５枚の刃と、５枚の刃をｚ軸方向に付勢する弾性部材（図示しない）とを含んで構成される。刃体６２は、例えば、鉄とクロムまたはクロム及びニッケルとの合金であるステンレス鋼によって形成される。なお、刃体６２は、コーティングされていてもよい。また、刃体６２は、４枚以下または６枚以上の刃を含んで構成されてもよい。また、刃体６２は、ステンレス鋼以外の他の金属で形成される構成であってもよい。
【０１０４】
フロントケース６５は、リアケース６６とともに刃体６２を収容する枠体を形成する。フロントケース６５及びリアケース６６は、例えば鉄を錫で表面処理したブリキによって形成される。なお、フロントケース６５及びリアケース６６は、他の金属で表面処理されてもよいし、表面処理されない金属で形成されてもよい。このように、刃体６２ならびにフロントケース６５及びリアケース６６は、鉄を主に含む金属によって形成されるため、剃刀ヘッド６１を「鉄」の分類でリサイクルまたは廃棄することが可能となる。
【０１０５】
フロントケース６５は、おもて側の面に開口部６５ａを有し、裏側が開放された箱状に形成される。開口部６５ａからは、刃体６２が露出する。フロントケース６５は、主板６５ｃ、長側板６５ｄ及び６５ｅならびに短側板６５ｆ及び６５ｇを含んで構成される。主板６５ｃは、ｘｙ平面と略平行に延在し、ｘ軸方向を長軸とする略矩形の面を有する。主板６５ｃの面の略中央には、ｘ軸方向を長軸とする略矩形の開口部６５ａが形成される。長側板６５ｄ及び６５ｅは、それぞれ主板６５ｃの上端及び下端から裏側に向かってｚ軸方向（厚み方向）に延在する板である。長側板６５ｄ及び６５ｅの各々は、裏側の端部から突出する突出部６５ｂを２つ有する。すなわち、フロントケース６５には４つの突出部６５ｂが形成されている。短側板６５ｆ及び６５ｇは、それぞれ主板６５ｃの右端及び左端から裏側に向かって延在する板である。
【０１０６】
主板６５ｃ、長側板６５ｄ及び６５ｅならびに短側板６５ｆ及び６５ｇは、例えば一体で平面状に形成される。フロントケース６５は、長側板６５ｄ及び６５ｅならびに短側板６５ｆ及び６５ｇをそれぞれ主板６５ｃに対して折り曲げることによって、主板６５ｃの裏側に上下左右が囲まれ、リアケース６６を収容可能な空間を有する形状に形成される。
【０１０７】
長側板６５ｄ及び６５ｅには、それぞれ切り欠き部６５ｈ及び６５ｉが形成される（図６及び図８参照）。切り欠き部６５ｈ及び６５ｉは、長側板６５ｄ及び６５ｅの、ｘ軸方向（長軸方向）の中央部を含む位置に、ｘ軸方向に一定の長さを有し、かつ裏側の端部からおもて側に向かうよう形成される。これらの切り欠き部６５ｈ及び６５ｉは、刃体６２で切断された体毛が通過することで剃刀ヘッド６１内に残存することを抑制する機能を有する。また、切り欠き部６５ｈ及び６５ｉは、ヘッド支持部３１から剃刀ヘッド６１を離脱させる際に、ユーザが、指、爪、または治具を引っ掛ける力点となる力点部を含む。つまり、切り欠き部６５ｈ及び６５ｉは、分別廃棄によるリサイクルを容易にする機能と、剃刀ヘッド６１内に切断された体毛を残存させないことで剃刀を清潔かつ快適に使用可能にする機能を併せ持つ。
【０１０８】
リアケース６６は、底板６６ｄならびに長側板６６ｅ及び６６ｆを含んで構成される。底板６６ｄは、ｘｙ平面と略平行に延在し、フロントケース６５の主板６５ｃと対向する。底板６６ｄは、ｘ軸方向を長軸とする略矩形の面を有する。底板６６ｄの裏側の面には、ｘ軸方向の両端近傍に矩形かつ実質的に平面状の矩形平面部６６ａ及び６６ｂがそれぞれ形成される。詳細には、底板６６ｄの裏側の面の略中央には、ｘ軸方向を長軸とする略矩形の開口部６６ｃが形成される。開口部６６ｃの右側及び左側には、接着剤６４が塗布される矩形平面部６６ａ及び６６ｂがそれぞれ形成される。ここで、底板６６ｄの裏側の右下の角の近傍の領域をはみ出し部分６１ａと定義する。また、底板６６ｄの裏側の左下の角の近傍の領域をはみ出し部分６１ｂと定義する。なお、矩形平面部６６ａ及び６６ｂの少なくとも一方には、剃刀ヘッド６１と矩形部３２との接着に支障をきたさない程度の凹部が形成されてもよい。
【０１０９】
長側板６６ｅ及び６６ｆは、それぞれ底板６６ｄの上端及び下端からおもて側に向かってにｚ軸方向（厚み方向）に延在する板である。底板６６ｄならびに長側板６６ｅ及び６６ｆは、例えば一体で形成される。長側板６６ｅと長側板６６ｆとの間には、刃体６２を収容する空間が形成される。
【０１１０】
リアケース６６は、長側板６６ｅと長側板６６ｆとの間の空間に刃体６２を収容した状態でフロントケース６５に連結される。そして、フロントケース６５の長側板６５ｄにおける２つの突出部６５ｂ及び長側板６５ｅにおける２つの突出部６５ｂが、それぞれフロントケース６５のリアケース６６の開口部６６ｃに向かって折り曲げられることで、リアケース６６がフロントケース６５に固定される。
【０１１１】
図１及び図２に示されるように、剃刀ヘッド６１は、把持部１１側の一部が矩形部３２から把持部１１側に突出するように、リアケース６６の矩形平面部６６ａ及び６６ｂが矩形部３２に接着される。詳細には、剃刀ヘッド６１は、はみ出し部分６１ａが連結折り目４２ａの下側に位置し、かつはみ出し部分６１ｂが連結折り目４２ｂの下側に位置するように、リアケース６６の矩形平面部６６ａ及び６６ｂと矩形部３２の貼り付け面３２ａとが接着剤６４で接着される。
【０１１２】
剃刀ヘッド６１は、ヘッド支持部３１の矩形部３２との接着のために上記接着剤６４が配置された領域を接着領域とし、それ以外の領域を接着禁止領域とされる。接着領域は、剃刀ヘッド６１におけるｙ軸方向の中央位置ではなく、上側の端部に近い側に設けられる。これにより、使用者がヘッド支持部３１から剃刀ヘッド６１を離脱させようと切り欠き部６５ｉに力を加えたときに、離脱させる力が伝達しやすい構成となる。また、接着禁止領域は、枠体を形成するリアケース６６の周縁部から、例えば０．５ｍｍ以上１ｍｍ以下の領域などの、接着領域を除く所定の領域として設けられる。このような接着禁止領域を設けることで、剃刀ヘッド６１の周縁部がヘッド支持部３１に接着されないようにし、ヘッド支持部から剃刀ヘッドを分離させやすい構成にすることができる。なお、接着禁止領域は、リアケース６６の周縁部から０．５ｍｍ以上３ｍｍ以下の領域としてもよい。
【０１１３】
なお、ヘッド支持部３１から剃刀ヘッド６１を離脱させる際に使用者が切り欠き部６５ｈに力を加える構成としてもよく、この場合には、剃刀ヘッド６１の上側の端部に近い側ではなく、下側の端部に近い側に接着領域を設けてもよい。剃刀ヘッド６１が切り欠き部６５ｈ及び６５ｉの双方を有する構成の場合には、上側または下側のいずれかの端部に近い側に接着領域を設けてもよい。
【０１１４】
また、上記リアケース６６における上記接着領域が平面状であるため、比較的小さい接着領域であっても、ヘッド支持部３１に剃刀ヘッド６１を安定的に接着させることが可能となり、分別容易でありながらも快適に使用可能な構成にすることができる。なお、当該接着領域はその全体が平面状でなく、部分的に平面状であっても一定の効果が得られる。
【０１１５】
＜組み立て＞
図２に示される製造完了状態の剃刀１は、組み立て時には、おもて側が凸となるように、ユーザによって中心折り目４１ならびに連結折り目４２ａ及び４２ｂに沿って折り曲げられる。具体的には、ユーザは、例えば、剃刀１の組み立て時には、中心折り目４１に沿って把持部１１を折り曲げる。把持部１１の折り曲げは、例えば片手で行うことができる。把持部１１が折り曲げられることによって、連結折り目４２ａ及び４２ｂも自然と折り曲げられる。製造完了時に折り曲げ部１４ａ及び１４ｂが既に折り曲げられているので、ユーザは、剃刀１の組み立てを片手で行うことができる。
【０１１６】
図４〜図９に示されるように、組み立て後の状態では、把持部１１の中心線ＣＬの部分が背部２１となり、把持部１１の縁部１２ａ及び１２ｂがそれぞれ腹部２２ａ及び２２ｂとなる。背部２１から連続したヘッド支持部３１は、これによってヘッド支持部３１が中心線ＣＬに対して裏面側に傾斜する。つまり、ヘッド支持部３１は、腹部２２ａ及び２２ｂ側に向かって屈曲する。剃刀ヘッド６１は、矩形部３２の背部２１側の貼り付け面３２ａに配置される。
【０１１７】
図５に示されるように、組み立て後の状態において剃刀１をｘ軸方向に沿って平面視したときに、矩形部３２の貼り付け面３２ａの延在方向と中心線ＣＬの延びる方向とのなす角度βが、３５°以上５５°以下である。好ましくは、角度βは、４０°以上５０°以下である。本実施形態では、角度βは、略４５°である。
【０１１８】
図３及び図４に示されるように、組み立て後の状態では、挿入部５１が挿入孔部５２に挿入され嵌合することで把持部１１が中心折り目４１に沿って折り曲げられた状態で固定される。詳細には、把持部１１が中心折り目４１に沿って折り曲げられた状態において、ユーザが挿入部５１を押圧すると、把持部１１ａの切り込み５１ａが開裂し、挿入部５１は、把持部１１ｂに近づくように変形する。
【０１１９】
そして、ユーザが挿入部５１をさらに押圧すると、挿入部５１が把持部１１ｂの挿入孔部５２を押圧し、把持部１１ｂの切り込み５２ａが開裂する。このとき、挿入孔部５２の台形部５２ｂ、上側矩形部５２ｅ及び下側矩形部５２ｆが捲れあがって孔（以下、「開裂孔」と称することがある。）が形成される。開裂孔のｙ軸方向の長さは、最大で距離Ｒ２５であるので、挿入部５１は、開裂孔に挿通される。そして、ユーザが挿入部５１から手を離すと、台形部５２ｂが、弾性によって元の形に戻ろうとして挿入部５１を押圧する。このため、挿入部５１の幅広部５１ｂの上端及び下端が、把持部１１ｂにおける係合領域５２ｃ及び５２ｄにそれぞれ係合する。これにより、挿入部５１が開裂孔から抜けにくくなり、把持部１１が中心折り目４１に沿って折り曲げられた状態で固定される。
【０１２０】
図４〜図９に示されるように、使用時には、把持部１１がユーザにより把持されるよう構成される。ヘッド支持部３１及び把持部１１は、ユーザが剃刀ヘッド６１を肌に接触させたとき、剃刀ヘッド６１がユーザの肌に付勢されるよう弾性的に変形するよう構成される。そして、使用後には剃刀ヘッド６１がヘッド支持部３１から分離可能に構成される。具体的には、ユーザは、はみ出し部分６１ａ及び６１ｂに指をかけて、剃刀ヘッド６１を矩形部３２から剥がすことで、剃刀ヘッド６１とヘッド支持部３１とを分離する。
【０１２１】
＜包装＞
剃刀１は、例えば、１つずつ紙で包装される。なお、剃刀１は、２つ以上をまとめて紙で包装されてもよい。このように、剃刀１を紙で包装すると、出張または旅行などの機会に剃刀１の持ち運びを容易にすることができる。また、包装紙を本体４０とまとめて「紙」の分類で廃棄することができる。
【０１２２】
＜２．変形例＞
次に、本発明の実施形態の変形例１〜６について説明する。これらの変形例は、実施形態と比較して、本体の形状などが異なっている。以下の説明では、実施形態との相違点について説明し、実施形態と共通な部分については説明を省略する。また、図中同一または相当部分には同一符号を付してその説明は繰り返さない。
【０１２３】
＜（１）変形例１＞
図１２は、実施形態の変形例１の製造完了時における剃刀をおもて側から見た平面図である。実施形態の変形例１の剃刀２は、図１に示す剃刀１と比べて、折り曲げ部１４ａ及び１４ｂを備えず、把持部１１の外形が異なっている。剃刀２は、折り曲げ部１４ａ及び１４ｂを備えないため、本体４０と剃刀ヘッド６１とが連結されることで、図１２に示す完成品となる。このように、折り曲げ部１４ａ及び１４ｂを設けない構成により、折り曲げ加工の削減によって製造を簡素化することができるので、剃刀２の製造コストを低減することができる。また、紙の使用量を低減することができるので、剃刀２の製造における材料コストを低減することができる。
【０１２４】
剃刀２の把持部１１の外形は、下側が全体的に緩く湾曲するように形成されている。このような構成とすることで、把持部１１の下側がユーザの手に当接したときにユーザの手に与える刺激を低減することができる。これにより、剃刀２を使用中のユーザが不快感を覚えることを抑制することができる。
【０１２５】
＜（２）変形例２＞
図１３は、実施形態の変形例２の製造完了時における剃刀をおもて側から見た平面図である。図１４は、図１３に示す剃刀の切り込み部近傍の拡大図である。図１３及び図１４に示されるように、実施形態の変形例２の剃刀３は、図１に示す剃刀１と比べて、折り曲げ部１４ａ及び１４ｂならびに挿入部５１及び挿入孔部５２の代わりに、切り込み部７１を備え、把持部１１の外形が異なっている。剃刀３は、折り曲げ部１４ａ及び１４ｂを備えないため、本体４０と剃刀ヘッド６１とが連結されることで、図１３に示す完成品となる。このように、折り曲げ部１４ａ及び１４ｂを設けない構成により、折り曲げ加工の削減によって製造を簡素化することができるので、剃刀３の製造コストを低減することができる。また、紙の使用量を低減することができるので、剃刀３の製造における材料コストを低減することができる。
【０１２６】
剃刀３の把持部１１の外形は、下側が全体的に緩く湾曲するように形成されている。このような構成とすることで、把持部１１の下側がユーザの手に当接したときにユーザの手に与える刺激を低減することができる。これにより、剃刀３を使用中のユーザが不快感を覚えることを抑制することができる。
【０１２７】
＜切り込み部７１の構成＞
本実施形態では、切り込み部７１は、中心線ＣＬを基準として左右対称であり、かつｘ軸に平行な対称線ＳＬを基準として上下対称に形成される。
【０１２８】
図１４に示されるように、切り込み部７１は、切り込み７１ａ及び７１ｂを含んで構成される。切り込み７１ａは、中心線ＣＬを基準として左右対称であり、上側に向かって突出した形状を有し、右上部７１ａａ及び左上部７１ａｂを含んで構成される。右上部７１ａａは、把持部１１ａに形成され、平面状の本体４０をおもて側から平面視したときに、中心線ＣＬ上の一点から右下に向かって延びる切り込みである。左上部７１ａｂは、把持部１１ｂに形成され、中心線ＣＬを基準として右上部７１ａａと左右対称な切り込みである。
【０１２９】
切り込み７１ｂは、中心線ＣＬを基準として左右対称であり、かつ対称線ＳＬ２を基準として切り込み７１ａと上下対称な形状を有し、右下部７１ｂａ及び左下部７１ｂｂを含んで構成される。右下部７１ｂａは、把持部１１ａに形成され、対称線ＳＬ２を基準として右上部７１ａａと上下対称な切り込みである。左下部７１ｂｂは、把持部１１ｂに形成され、中心線ＣＬを基準として右下部７１ｂａと左右対称な切り込みである。
【０１３０】
ここで、切り込み７１ａの下側の領域であって切り込み７１ｂの上側の領域を小片部７１ｃと定義する。
【０１３１】
＜組み立て後＞
剃刀３が組み立てられた後の状態では、切り込み７１ａ及び７１ｂは、背部２１から腹部２２ａ及び２２ｂにそれぞれ向かいながら互い近づくように形成されている。図１５は、実施形態の変形例２の小片部が右側に折り曲げられた状態の切り込み部近傍を背側から見た拡大図である。図１５に示されるように、ユーザは、例えば、剃刀３の組み立て後の状態において、小片部７１ｃを手で掴んで右側に折り曲げる。小片部７１ｃが折れ曲がるときに、切り込み７１ａ及び７１ｂが開裂し、把持部１１では、切り込み７１ａによる切断端である本体上側端部７１ｄと、切り込み７１ｂによる切断端である本体下側端部７１ｅとが形成される。一方、小片部７１ｃでは、切り込み７１ａによる切断端である小片上側端部７１ｆと、切り込み７１ｂによる切断端である小片下側端部７１ｇとが形成される。
【０１３２】
ユーザが小片部７１ｃから手を離すと、小片部７１ｃは、折れ曲がった状態で維持される。この状態では、中心折り目４１に沿って折れ曲がった把持部１１が、紙の弾性または外力などによって平面状に戻ろうとしても、本体上側端部７１ｄと小片上側端部７１ｆとの間、及び本体下側端部７１ｅと小片下側端部７１ｇとの間で物理的な干渉が発生する。これにより、折れ曲がった把持部１１が平面状に戻ることが抑制され、把持部１１が中心折り目４１に沿って折り曲げられた状態で固定される。
【０１３３】
なお、本変形例２の剃刀３では、折り曲げ部１４ａ及び１４ｂを備えない構成について説明をしたが、剃刀３は、折り曲げ部１４ａ及び１４ｂを備える構成であってもよい。この場合、折り曲げ部１４ａ及び１４ｂには、切り欠き部１５ａ及び１５ｂが形成されない構成であってもよい。
【０１３４】
＜（３）変形例３＞
図１６は、実施形態の変形例３の製造完了時における剃刀をおもて側から見た平面図である。図１６に示されるように、実施形態の変形例３の剃刀４は、図１に示す剃刀１と比べて、折り曲げ部１４ａ及び１４ｂならびに挿入部５１及び挿入孔部５２の代わりに、右側突出部８１、左上側突出部８２ａ及び左下側突出部８２ｂを備え、把持部１１の外形が異なっている。剃刀４は、折り曲げ部１４ａ及び１４ｂを備えないため、本体４０と剃刀ヘッド６１とが連結されることで、図１６に示す完成品となる。このように、折り曲げ部１４ａ及び１４ｂを設けない構成により、折り曲げ加工の削減によって製造を簡素化することができるので、剃刀４の製造コストを低減することができる。また、紙の使用量を低減することができるので、剃刀４の製造における材料コストを低減することができる。
【０１３５】
剃刀４の把持部１１の外形は、下側が全体的に緩く湾曲するように形成されている。このような構成とすることで、把持部１１の下側がユーザの手に当接したときにユーザの手に与える刺激を低減することができる。これにより、剃刀４を使用中のユーザが不快感を覚えることを抑制することができる。
【０１３６】
＜右側突出部８１の構成＞
右側突出部８１は、把持部１１の縁部１２ａから外側に突出するよう形成される。本実施形態では、右側突出部８１は、ｘｙ平面と略平行に延在し、本体４０と一体で形成される。具体的には、右側突出部８１は、平面状の本体４０をおもて側から平面視したときに、上側凸部８１ａ及び下側凸部８１ｂを形成しながら縁部１２ａから右側に向かって延びる形状を有する。
【０１３７】
上側凸部８１ａは、右側突出部８１の上側に位置し、上側に向かって突出する形状を有する。下側凸部８１ｂは、右側突出部８１の下側に位置し、下側に向かって突出する形状を有する。上側凸部８１ａと把持部１１ａとの間には、下側に向かって凹んだ形状を有する上側凹部８１ｃが形成される。下側凸部８１ｂと把持部１１ａとの間には、上側に向かって凹んだ形状を有する下側凹部８１ｄが形成される。上側凹部８１ｃと下側凹部８１ｄとの間には、縁部１２ａに沿って凹部間折り目８１ｅが形成される。
【０１３８】
＜左上側突出部８２ａ及び左下側突出部８２ｂの構成＞
左上側突出部８２ａ及び左下側突出部８２ｂは、ｘｙ平面と略平行に延在し、本体４０と一体で形成される。左上側突出部８２ａと左下側突出部８２ｂとの間には、切り欠き部８２が形成される。
【０１３９】
具体的には、左上側突出部８２ａは、平面状の本体４０をおもて側から平面視したときに、上側凸部８２ｃを形成しながら縁部１２ｂから左側に向かって延びる形状を有する。上側凸部８２ｃは、左上側突出部８２ａの下側に位置し、下側に向かって突出する形状を有する。上側凸部８２ｃと把持部１１ｂとの間には、上側に向かって凹んだ形状を有する上側凹部８２ｅが形成される。
【０１４０】
左下側突出部８２ｂは、平面状の本体４０をおもて側から平面視したときに、下側凸部８２ｄを形成しながら縁部１２ｂから左側に向かって延びる形状を有する。下側凸部８２ｄは、左下側突出部８２ｂの上側に位置し、上側に向かって突出する形状を有する。下側凸部８２ｄと把持部１１ｂとの間には、下側に向かって凹んだ形状を有する下側凹部８２ｆが形成される。
【０１４１】
ここで、右側突出部８１における上側凸部８１ａの上端と下側凸部８１ｂの下端との間の長さを凸部間長Ｌ４１と定義する。上側凹部８１ｃと下端と下側凹部８１ｄの上端との間の長さを凹部間長Ｌ４２と定義する。
【０１４２】
切り欠き部８２における、上側凸部８２ｃの下端と下側凸部８２ｄの上端との間の長さ（以下、凸部間長Ｌ４３と称することがある。）は、凹部間長Ｌ４２より若干大きく、かつ凸部間長Ｌ４１より小さい。上側凹部８２ｅの上端と下側凹部８２ｆの下端との間の長さ（以下、凹部間長Ｌ４４と称することがある。）は、凸部間長Ｌ４３より大きく、かつ凸部間長Ｌ４１より小さい。
【０１４３】
＜組み立て後＞
組み立て後の状態では、右側突出部８１が切り欠き部８２に挿入され嵌合することで把持部１１が中心折り目４１に沿って折り曲げられた状態で固定される。図１７は、実施形態の変形例３の右側突出部８１が切り欠き部８２に嵌合された状態の右側突出部８１近傍を腹側から見た拡大図である。図１６及び図１７に示されるように、ユーザは、例えば、剃刀４の組み立て後の状態において、右側突出部８１を凹部間折り目８１ｅに沿ってｘ軸−側に折り曲げる。右側突出部８１が折れ曲がった状態では、右側突出部８１の上側凹部８１ｃ及び下側凹部８１ｄは、切り欠き部８２の左上側突出部８２ａと左下側突出部８２ｂとのとの間（詳細には、図１７に図示しない上側凹部８２ｅと下側凹部８２ｆとの間）に配置される。
【０１４４】
ユーザが右側突出部８１から手を離すと、右側突出部８１は、折れ曲がった状態で維持される。この状態では、中心折り目４１に沿って折れ曲がった把持部１１が、紙の弾性または外力などによって平面状に戻ろうとしても、右側突出部８１の上側凸部８１ａと把持部１１ｂとの間、及び右側突出部８１の下側凸部８１ｂと把持部１１ｂとの間で物理的な干渉が発生する。これにより、折れ曲がった把持部１１が平面状に戻ることが抑制され、把持部１１が中心折り目４１に沿って折り曲げられた状態で固定される。
【０１４５】
このように、右側突出部８１を折り曲げる簡易な操作で右側突出部８１を切り欠き部８２に嵌合させることができるので、実施形態ならびに変形例１及び変形例２の構成と比べて、把持部１１を中心折り目４１に沿って折り曲げた状態で簡易に固定することができる。
【０１４６】
なお、実施形態の変形例３の剃刀４では、折り曲げ部１４ａ及び１４ｂを備えない構成について説明をしたが、剃刀４は、折り曲げ部１４ａ及び１４ｂを備える構成であってもよい。この場合、折り曲げ部１４ａ及び１４ｂには、切り欠き部１５ａ及び１５ｂが形成されない構成であってもよい。
【０１４７】
また、実施形態の変形例３の剃刀４では、右側突出部８１が縁部１２ａから外側に突出し、切り欠き部８２が縁部１２ｂに形成される構成について説明をしたが、右側突出部８１が縁部１２ｂから外側に突出し、切り欠き部８２が縁部１２ａに形成される構成であってもよい。
【０１４８】
＜（４）変形例４＞
図１８は、本実施形態の変形例４の剃刀をおもて側から見た平面図である。図１９は、本実施形態の変形例４の剃刀ヘッドが取り外された状態の剃刀をおもて側から見た平面図である。図２０は、本実施形態の変形例４の組み立て後の状態の剃刀をおもて側から見た平面図である。図２１は、本実施形態の変形例４の組み立て後の状態の剃刀を幅方向から見た平面図である。図２２は、本実施形態の変形例４の組み立て後の状態の剃刀を裏側から見た平面図である。図２３は、本実施形態の変形例４の組み立て後の状態の剃刀を下側から見た平面図である。図２４は、本実施形態の変形例４の剃刀ヘッドの斜視図である。
【０１４９】
図１８〜図２４に示されるように、本実施形態の変形例４の剃刀５は、組み立てられた状態において把持部と折り曲げ部とによって筒が形成され、ｙ軸方向から見たその筒の断面が略三角形となっている点で、剃刀１と異なる。また、剃刀ヘッド６１の構成が、剃刀１と異なる。
【０１５０】
剃刀５の本体４０は、ヘッド固定部１００をさらに含んで構成される。ヘッド固定部１００は、裏蓋部１０２ならびに差込部１０３ａ及び１０３ｂを含んで構成される。ヘッド固定部１００は、ヘッド支持部３１に対して、把持部１１側とは逆側に設けられる。
【０１５１】
詳細には、ヘッド固定部１００における裏蓋部１０２は、ヘッド支持部３１の上側に接続され、中心線ＣＬを基準として左右対称な外形を有する。裏蓋部１０２は、おもて側から平面視したときに、幅方向の幅を若干狭めながらくびれ部１０２ｃまで下側に延びた後、幅方向の幅を大きく広めながら下側に延びてヘッド支持部３１の上側に接続される。つまり、裏蓋部１０２は、くびれ部１０２ｃにおいて若干くびれた形状を有する。裏蓋部１０２とヘッド支持部３１との境界には、幅方向に延びる折り目１０１が形成される。
【０１５２】
差込部１０３ａ及び１０３ｂは、ヘッド固定部１００が折り目１０１で折り曲げられたときに、把持部１１ならびに折り曲げ部１４ａ及び１４ｂと嵌合する。詳細には、差込部１０３ａは、裏蓋部１０２のくびれ部１０２ａの上側において裏蓋部１０２の右側の縁から右側に突出する形状を有する。差込部１０３ａと裏蓋部１０２とは連続し、これらの境界には、折り目１０４ａが形成される。
【０１５３】
差込部１０３ｂは、中心線ＣＬを基準として差込部１０３ａと対称な形状であって、裏蓋部１０２のくびれ部１０２ａの上側において裏蓋部１０２の左側の縁から左側に突出する形状を有する。差込部１０３ｂと裏蓋部１０２とは連続し、これらの境界には、折り目１０４ｂが形成される。
【０１５４】
把持部１１では、組み立て前の状態において、中心線ＣＬを基準として左右対称な形状であって長手方向に長い形状を有する長孔部１８が頂点１７の下側に形成される。
【０１５５】
把持部１１ａは、縁部１２ａの一部が中心線ＣＬから離れる方向すなわち右側に突出した凸部１２ａａを含む。凸部１２ａａは、上側の反転折り目４３ａａと下側の反転折り目４３ａｂとの間に位置する。凸部１２ａａの長手方向の長さは、差込部１０３ａの左端の長手方向の長さすなわち折り目１０４ａの長手方向の長さより大きい。また、凸部１２ａａと折り目１０１との間の距離と、折り目１０４ａと折り目１０１との間の距離は、略同じである。
【０１５６】
凸部１２ａａの上側、右側及び下側の縁は、切り込み４３ａｃとなっている。把持部１１ａ及び折り曲げ部１４ａを反転折り目４３ａａ及び４３ａｂに沿って折り曲げたとき、切り込み４３ａｃがあるために凸部１２ａａが折り曲げられない一方、折り曲げ部１４ａでは、反転折り目４３ａａと反転折り目４３ａｂとの間に凹部１４ａａが形成される。そして、凹部１４ａａと把持部１１ａとの間において、長手方向に長い形状を有する長孔４３ａｄが形成される（図２２及び図２３参照）。
【０１５７】
把持部１１ｂは、中心線ＣＬを基準として凸部１２ａａと対称な形状を有する凸部１２ｂａを含む。つまり、凸部１２ｂａは、中心線ＣＬから離れる方向すなわち左側に突出する。凸部１２ｂａは、上側の反転折り目４３ｂａと下側の反転折り目４３ｂｂとの間に位置する。
【０１５８】
凸部１２ｂａの上側、左側及び下側の縁は、切り込み４３ｂｃとなっている。把持部１１ｂ及び折り曲げ部１４ｂを反転折り目４３ｂａ及び４３ｂｂに沿って折り曲げたとき、切り込み４３ｂｃがあるために凸部１２ｂａが折り曲げられない一方、折り曲げ部１４ｂでは、反転折り目４３ｂａと反転折り目４３ｂｂとの間に凹部１４ｂａが形成される。そして、凹部１４ｂａと把持部１１ｂとの間において、長手方向に長い形状を有する長孔４３ｂｄが形成される（図２２及び図２３参照）。
【０１５９】
折り曲げ部１４ａの縁１６ａには、中心線ＣＬに近づく方向へ凹んだ逃げ部１６ａａが形成される。逃げ部１６ａａの長手方向の長さは、凸部１２ｂａの長手方向の長さより大きい。逃げ部１６ａａの幅方向の長さは、凸部１２ｂａの幅方向の長さより大きい。
【０１６０】
逃げ部１６ａａは、把持部１１ａ及び把持部１１ｂを中心折り目４１に沿って折り曲げた後、把持部１１ａ及び折り曲げ部１４ａを反転折り目４３ａａ及び４３ａｂに沿ってさらに折り曲げた状態において、凸部１２ｂａと対向可能な位置に形成される。
【０１６１】
折り曲げ部１４ｂの縁１６ｂには、中心線ＣＬを基準として逃げ部１６ａａと対称な形状を有する逃げ部１６ｂａが形成される。
【０１６２】
逃げ部１６ｂａは、把持部１１ａ及び把持部１１ｂを中心折り目４１に沿って折り曲げた後、把持部１１ｂ及び折り曲げ部１４ｂを反転折り目４３ｂａ及び４３ｂｂに沿ってさらに折り曲げた状態において、凸部１２ａａと対向可能な位置に形成される。
【０１６３】
ヘッド支持部３１は、三角形部３３、右端支持部３５ａ及び左端支持部３５ｂを含んで構成される（主に図１８及び図１９参照）。右端支持部３５ａ及び左端支持部３５ｂは、剃刀ヘッド６１の少なくとも両端を支持する、本発明における「両端支持部」の一例である。
【０１６４】
三角形部３３は、連結折り目４２ａ及び４２ｂの上側に位置する。右端支持部３５ａは、三角形部３３の右上側の一部と連続し、把持部１１ａの上側を三角形部３３とで挟むように設けられる。左端支持部３５ｂは、三角形部３３の左上側の一部と連続し、把持部１１ｂの上側を三角形部３３とで挟むように設けられる。剃刀ヘッド６１は、右端支持部３５ａ、左端支持部３５ｂ、及び三角形部３３の３か所に接着されることで、ヘッド支持部３１に固定される。より具体的には、図１８に示したように、接着剤６４ａ、６４ｂ、及び６４ｃが配置され、これらの位置で剃刀ヘッド６１がヘッド支持部３１に接着される。剃刀ヘッド６１とヘッド支持部３１との間では、これらの接着剤６４ａ、６４ｂ、及び６４ｃが配置された領域を接着領域とし、それ以外の領域を接着禁止領域とされる。すなわち、図２４に示すように、剃刀ヘッド６１を形成する枠体におけるリアケース６６ｘには、接着領域６６ｍ、６６ｎ、及び６６ｏが設けられる。接着領域６６ｍ、６６ｎ、及び６６ｏは、いずれも剃刀ヘッド６１におけるｙ軸方向の中央位置ではなく、上側の端部に近い側に設けられる。これにより、使用者がヘッド支持部３１から剃刀ヘッド６１を離脱させようと切り欠き部６５ｉに力を加えたときに、離脱させる力が伝達しやすい構成となる。また、接着禁止領域は、枠体を形成するリアケース６６ｘの周縁部から、例えば０．５ｍｍ以上１ｍｍ以下の領域などの、接着領域６６ｍ、６６ｎ、及び６６ｏを除く所定の領域として設けられる。このような接着禁止領域を設けることで、剃刀ヘッド６１の周縁部がヘッド支持部３１に接着されないようにし、ヘッド支持部から剃刀ヘッドを分離させやすい構成にすることができる。なお、本変形例では、剃刀ヘッド６１は、把持部１１側の一部がヘッド支持部３１から把持部１１側に突出しないようにヘッド支持部３１に固定される。接着禁止領域は、リアケース６６ｘの周縁部から、０．５ｍｍ以上３ｍｍ以下の領域としてもよい。
【０１６５】
把持部１１ａと右端支持部３５ａとの境界は、Ｌ字状の切り込み３４ａとなっている。切り込み３４ａは、連結折り目４２ａの上側端部の位置３４ａａから右下側に向かって延びた後、位置３４ａｂまで左下側に向かって延びる。
【０１６６】
把持部１１ｂと左端支持部３５ｂとの境界は、中心線ＣＬを基準として切り込み３４ａと対称な形状の切り込み３４ｂとなっている。切り込み３４ｂは、連結折り目４２ｂの上側端部の位置３４ｂａから左下側に向かって延びた後、位置３４ｂｂまで右下側に向かって延びる。
【０１６７】
図２４に示すように、剃刀ヘッド６１は、実施形態の剃刀ヘッド６１に類似しているが、主に以下の点で構成が相違する。
【０１６８】
図２４に示すように、剃刀ヘッド６１は、フロントケース６５ｘ及びリアケース６６ｘにより形成された枠体を含む。刃体６２は、実施形態同様、枠体の内部空間に収容され、フロントケース６５ｘの開口部６５ａで露出する。フロントケース６５は、主板６５ｃ、長側板６５ｊ及び６５ｋならびに短側板６５ｌ及び６５ｍを含んで構成される。長側板６５ｊ及び６５ｋは、それぞれ主板６５ｃの上端及び下端から裏側に向かってｚ軸方向（厚み方向）に延在する板である。長側板６５ｊ及び６５ｋの各々は、裏側の端部から突出する突出部６５ｂを２つ有する。短側板６５ｌ及び６５ｍは、それぞれ主板６５ｃの左端及び右端から裏側に向かって延在する板である。
【０１６９】
長側板６５ｊ及び６５ｋには、実施形態と同様に、それぞれ切り欠き部６５ｈ及び６５ｉが形成される（図２０、図２４〜図２６参照）。切り欠き部６５ｈ及び６５ｉは、長側板６５ｊ及び６５ｋの、ｘ軸方向（長軸方向）の中央部を含む位置に、ｘ軸方向に一定の長さを有し、かつ裏側からおもて側に向かうようそれぞれ形成される。切り欠き部６５ｈ及び６５ｉと対向する位置の少なくとも一部には、ヘッド支持部３１が位置しないようになっている。そのため、使用者がヘッド支持部から剃刀ヘッドを離脱させる際に、切り欠き部６５ｈまたは６５ｉに触れやすい構成となっている。これらの切り欠き部６５ｈ及び６５ｉは、刃体６２で切断された体毛が通過することで剃刀ヘッド６１内に残存することを抑制する機能を有する。また、切り欠き部６５ｈ及び６５ｉは、ヘッド支持部３１から剃刀ヘッド６１を離脱させる際に、ユーザが、指、爪、または治具を引っ掛ける力点となる力点部を有する。つまり、切り欠き部６５ｈ及び６５ｉは、分別廃棄によるリサイクルを容易にする機能と、剃刀ヘッド６１内に切断された体毛を残存させないことで剃刀を清潔かつ快適に使用可能にする機能を併せ持つ。
【０１７０】
短側板６５ｌ及び６５ｍには、それぞれ切り欠き部６５ｎ及び６５ｏが形成される（図２４及び図２１参照）。切り欠き部６５ｎ及び６５ｏは、短側板６５ｌ及び６５ｍの、ｙ軸方向（長軸方向）の中央部を含む位置に、ｙ軸方向に一定の長さを有し、かつ裏側からおもて側に向かうよう形成される。これらの切り欠き部６５ｎ及び６５ｏは、長側板６５ｊ及び６５ｋの切り欠き部６５ｈ及び６５ｉと同様に、切断された体毛を通過させる機能と、ヘッド支持部３１から剃刀ヘッド６１を離脱させる際の力点としての機能を持つ。
【０１７１】
リアケース６６ｘは、底板６６ｙ、長側板６６ｇ及び６６ｈ、ならびに短側板６６ｉ及び６６ｊを含んで構成される。底板６６ｙは、実施形態の底板６６ｄと同様の形状であるが、実施形態の開口部６６ｃに代えて、２つの開口部６６ｋ及び６６ｌを有している。図２３に示されるように、開口部６６ｋ及び６６ｌは、ヘッド支持部３１と対向する裏側の面であって、対向する位置にヘッド支持部３１が位置しない場所に設けられる。そのため、開口部６６ｋ及び６６ｌはヘッド支持部３１によって塞がれることがなく、開口部６６ｋ及び６６ｌから切断された体毛が通過しやすくなる。これにより、剃刀ヘッド６１内への切断された体毛の残存を抑制することができ、剃刀５を清潔かつ快適に使用可能にすることができる。
【０１７２】
リアケース６６ｘの下側の長側板６６ｈは、フロントケース６５ｘの下側の長側板６５ｋと、０．５ｍｍ以上１ｍｍ以下の距離を有する。これにより、使用者がヘッド支持部３１から剃刀ヘッド６１を離脱させる際に、切り欠き部６５ｉに触れやすい構成となる。また、リアケース６６ｘの上側の長側板６６ｇは、フロントケース６５ｘの上側の長側板６５ｊと、０．５ｍｍ以上１ｍｍ以下の距離を有してもよい。このような構成にすると、使用者がヘッド支持部３１から剃刀ヘッド６１を離脱させる際に、切り欠き部６５ｈに触れやすい構成となる。なお、リアケース６６ｘの長側板６６ｈ及び６６ｇと、フロントケース６５ｘの長側板６５ｋ及び６５ｊとの距離は、それぞれ０．５ｍｍ以上３ｍｍ以下としてもよい。
【０１７３】
なお、切り欠き部６５ｈ及び６５ｉは、いずれか一方のみが形成されるようにしてもよい。このような構成であっても、切断された体毛の通過、及びヘッド支持部３１からの剃刀ヘッド６１の離脱を容易にすることができる。この場合、特に切り欠き部６５ｉを有する構成のほうが、使用者の利便性が高いため好ましい。ただし、切断された体毛の通過をより効果的に行うためには、切り欠き部６５ｈ及び６５ｉの双方を設けた構成とすることが好ましい。また、切り欠き部６５ｈ及び６５ｉのいずれか一方のみが形成される場合、リアケース６６ｘの長側板６６ｈ及び６６ｇと、フロントケース６５ｘの長側板６５ｋ及び６５ｊとの距離は、切り欠き部６５ｈまたは６５ｉが形成された部分において設けられる構成とするのが好ましい。
【０１７４】
なお、実施形態と同様に、ヘッド支持部３１から剃刀ヘッド６１を離脱させる際に使用者が切り欠き部６５ｈに力を加える構成としてもよく、この場合には、剃刀ヘッド６１の上側の端部に近い側ではなく、下側の端部に近い側に接着領域を設けてもよい。剃刀ヘッド６１が切り欠き部６５ｈ及び６５ｉの双方を有する構成の場合には、上側または下側のいずれかの端部に近い側に接着領域を設けてもよい。
【０１７５】
＜組み立て＞
剃刀５の組み立て方法の一例について説明する。剃刀５の組み立て時には、ユーザによって、おもて側が凸となるように、把持部１１ａ及び折り曲げ部１４ａが反転折り目４３ａａ及び４３ａｂに沿って折り曲げたられるとともに、把持部１１ｂ及び折り曲げ部１４ｂが反転折り目４３ｂａ及び４３ｂｂに沿って折り曲げられる（第１折り曲げステップ）。第１折り曲げステップでは、前述したように、長孔４３ａｄ及び４３ｂｄが形成される。
【０１７６】
次に、ユーザによって、おもて側が凸となるように、把持部１１ａ及び１１ｂが中心折り目４１ならびに連結折り目４２ａ及び４２ｂに沿って折り曲げられる（第２折り曲げステップ）。
【０１７７】
第２折り曲げステップでは、切り込み３４ａ及び３４ｂがあるために、把持部１１ａは、右端支持部３５ａ、三角形部３３及び左端支持部３５ｂによって形成される面から裏側へ離れるように折り曲げられる。把持部１１ｂも、把持部１１ａと同様に、当該面から裏側へ離れるように折り曲げられる。
【０１７８】
なお、図２２及び図２３では、折り曲げ部１４ｂが折り曲げ部１４ａの裏側に位置するが、折り曲げ部１４ａが折り曲げ部１４ｂの裏側に位置してもよい。また、折り曲げ部１４ｂに逃げ部１６ｂａが形成されているので、長孔４３ａｄが折り曲げ部１４ｂによって塞がれないようになっている。同様に、折り曲げ部１４ａに逃げ部１６ａａが形成されているので、長孔４３ｂｄが折り曲げ部１４ａによって塞がれないようになっている。
【０１７９】
次に、ユーザによって、差込部１０３ａが折り目１０４ａに沿って裏側へ折り曲げられるとともに、差込部１０３ｂが折り目１０４ｂに裏側へ折り曲げられる（第３折り曲げステップ）。
【０１８０】
次に、ユーザによって、裏蓋部１０２が折り目１０１に沿って裏側折り曲げられる。そして、差込部１０３ａ及び１０３ｂが、第１折り曲げステップで形成された長孔４３ａｄ及び４３ｂｄにそれぞれ差し込まれてヘッド固定部１００と把持部１１とが嵌合される（第４折り曲げステップ）。
【０１８１】
差込部１０３ａ及び１０３ｂが長孔４３ａｄと長孔４３ｂｄとの間の距離を固定することによって、把持部１１ａ及び把持部１１ｂが広がって平面に戻ることが抑制される。また裏蓋部１０２が折り曲げ部１４ａ及び１４ｂを押さえることによって、折り曲げ部１４ａ及び把持部１１ａが広がって平面に戻ることと、折り曲げ部１４ｂ及び把持部１１ｂが広がって平面に戻ることとが抑制される。
【０１８２】
把持部１１ａ及び１１ｂならびに折り曲げ部１４ａ及び１４ｂは、固定された状態においてｙ軸方向に延びる筒２３を形成する。筒２３の断面は、ｙ軸方向から見て、略三角形となっている（図２３参照）。
【０１８３】
なお、剃刀５が第１折り曲げステップ〜第４折り曲げステップで完成する構成について説明したが、上記第２折り曲げステップだけを行うことで、剃刀５を剃刀１〜４のように使用することができる。
【０１８４】
また、筒２３の断面は、三角形に限らず四角形または五角形などの四角以上の多角形であってもよい。
【０１８５】
また、長孔部１８が中心線ＣＬに対称な形状を有する構成について説明したが、長孔部１８の形状は、中心線ＣＬに非対称な構成であってもよい。長孔部１８は、上側から平面視したときに、中心線ＣＬと交わる構成が好ましい。
【０１８６】
また、差込部１０３ａ及び１０３ｂが、把持部１１ａ及び１１ｂならびに折り曲げ部１４ａ及び１４ｂと嵌合する構成について説明したが、差込部１０３ａ及び１０３ｂは、ヘッド支持部３１と嵌合する構成であってもよい。
【０１８７】
＜（５）変形例５＞
図２５は、本実施形態の変形例５の剃刀をおもて側から見た平面図である。図２６は、本実施形態の変形例５の組み立て後の状態の剃刀をおもて側から見た平面図である。図２７は、本実施形態の変形例５の組み立て後の状態の剃刀を裏側から見た平面図である。
【０１８８】
図２５〜図２７に示されるように、本実施形態の変形例５の剃刀６は、組み立てられた状態における把持部１１の固定方法が、変形例４の剃刀５の把持部１１の固定方法と異なる。
【０１８９】
把持部１１ａの右側の縁部１２ａでは、上側の反転折り目４３ａａと下側の反転折り目４３ａｂとの間において、切り込み１２ａｂが形成される。切り込み１２ａｂの上側の端部及び下側の端部では、切り込みが幅方向に形成される。把持部１１ｂの左側の縁部１２ｂでは、中心線ＣＬを基準として切り込み１２ａｂと対称な形状を有する切り込み１２ｂｂが形成される。
【０１９０】
折り曲げ部１４ａは、中心線ＣＬから離れる方向すなわち右側へ、縁１６ａから突出する凸部１６ａｂを含む。凸部１６ａｂは、把持部１１ａ及び把持部１１ｂを中心折り目４１に沿って折り曲げた後、把持部１１ａ及び折り曲げ部１４ａを反転折り目４３ａａ及び４３ａｂに沿ってさらに折り曲げた状態において、切り込み１２ｂｂと対向可能な位置に形成される。凸部１６ａｂの長手方向の長さは、切り込み１２ｂｂの長手方向の長さより短い。
【０１９１】
折り曲げ部１４ｂは、中心線ＣＬから離れる方向すなわち左側へ、縁１６ｂから突出する凸部１６ｂｂを含む。凸部１６ｂｂは、把持部１１ａ及び把持部１１ｂを中心折り目４１に沿って折り曲げた後、把持部１１ｂ及び折り曲げ部１４ｂを反転折り目４３ｂａ及び４３ｂｂに沿ってさらに折り曲げた状態において、切り込み１２ａｂと対向可能な位置に形成される。凸部１６ｂｂの長手方向の長さは、切り込み１２ａｂの長手方向の長さより短い。凸部１６ｂｂの幅方向の長さは、例えば、凸部１６ａｂの幅方向の長さより短い。
【０１９２】
ヘッド支持部３１は、三角形部３３、右端支持部３５ａ及び左端支持部３５ｂを含んで構成される（図２７参照）。剃刀ヘッド６１は、右端支持部３５ａ及び左端支持部３５ｂに接着されることで、ヘッド支持部３１に固定される。なお、本変形例では、剃刀ヘッド６１は、把持部１１側の一部がヘッド支持部３１から把持部１１側に突出しないようにヘッド支持部３１に固定される。
【０１９３】
把持部１１ａと右端支持部３５ａとの境界は、略直線状の切り込み３４ａとなっている（図２５参照）。切り込み３４ａは、連結折り目４２ａの上側端部の位置３４ａａ（図２７参照）から位置３４ａｂまで右下側に向かって延びる。
【０１９４】
把持部１１ｂと左端支持部３５ｂとの境界は、中心線ＣＬを基準として切り込み３４ａと対称な形状の切り込み３４ｂとなっている（図２５参照）。切り込み３４ｂは、連結折り目４２ｂの上側端部の位置３４ｂａから位置３４ｂｂまで左下側に向かって延びる。
【０１９５】
＜組み立て＞
剃刀６の組み立て方法の一例について説明する。剃刀６の組み立てについては、変形例４の剃刀５の組み立てとの相違点について詳細に説明し、剃刀５の組み立てとの一致点については簡潔に説明する。
【０１９６】
まず、ユーザによって、第１折り曲げステップが行われる。次に、ユーザによって、おもて側が凸となるように、把持部１１ａ及び１１ｂが中心折り目４１ならびに連結折り目４２ａ及び４２ｂに沿って折り曲げられる。このとき、折り曲げ部１４ａが折り曲げ部１４ｂの裏側に位置し、かつ折り曲げ部１４ｂの凸部１６ｂｂが切り込み１２ａｂに挿入されるように把持部１１ａ及び１１ｂを折り曲げる（第２折り曲げステップ）。
【０１９７】
次に、ユーザによって、凸部１６ａｂが折り目１６ａｃに沿って折り曲げられる。このとき、凸部１６ａｂが折られる方向は、切り込み１２ｂｂに近づく方向である（第３折り曲げステップ）。
【０１９８】
次に、ユーザによって、凸部１６ａｂが切り込み１２ｂｂに差し込まれて凸部１６ａｂと把持部１１ｂとが嵌合される（第４折り曲げステップ）。
【０１９９】
凸部１６ａｂが切り込み１２ｂｂに差し込まれることによって、把持部１１ａ及び把持部１１ｂが広がって平面に戻ることと、折り曲げ部１４ａ及び把持部１１ａが広がって平面に戻ることとが抑制される。また、折り曲げ部１４ａが折り曲げ部１４ｂを押さえることで、折り曲げ部１４ｂ及び把持部１１ｂが広がって平面に戻ることが抑制される。
【０２００】
把持部１１ａ及び１１ｂならびに折り曲げ部１４ａ及び１４ｂは、固定された状態においてｙ軸方向に延びる筒２３を形成する。筒２３の断面は、図示しないが、ｙ軸方向から見て、略三角形となっている。
【０２０１】
なお、剃刀６が第１折り曲げステップ〜第４折り曲げステップで完成する構成について説明したが、第２折り曲げステップだけを行うことで、剃刀６を剃刀１〜４のように使用することができる。
【０２０２】
＜（６）変形例６＞
図２８は、本実施形態の変形例６の剃刀をおもて側から見た平面図である。図２８に示されるように、剃刀５は、台紙２００にはめ込まれている。剃刀５の外周は、例えば、ミシン目になっており、台紙２００から剃刀５を取り外して使用することができる。
【０２０３】
このように、剃刀５を台紙２００にはめ込むことにより、台紙２００を袋状に折りたたむ簡易な操作で、剃刀６を梱包することができるので、剃刀６の運搬及び発送を容易にすることができる。また、台紙２００の形状は任意の形状にすることができるので、剃刀５の商品棚への陳列を容易にしたり、剃刀５の携帯を容易にしたりすることができる。
【０２０４】
なお、本変形例では、剃刀５が台紙２００にはめ込まれる構成について説明したが、剃刀１〜４または６が台紙２００にはめ込まれる構成であってもよい。
【０２０５】
＜（７）変形例７＞
図２９は、本実施形態の変形例７の剃刀ヘッド１６１の斜視図である。本実施形態の剃刀ヘッド１６１は、変形例４の剃刀ヘッド６１に類似しているが、いくつかの点において相違している。以下の説明では、変形例４の剃刀ヘッド６１との相違点を中心に説明を行い、変形例４の剃刀ヘッド６１と共通の構成については同一の符号を付してその説明を省略する場合がある。
【０２０６】
剃刀ヘッド１６１は、フロントケース１６５及びリアケース１６６で形成された枠体を含む。当該枠体の内部空間には刃体１６２が収容され、フロントケース１６５の開口部６５ａで、刃１６２ａが露出する。
【０２０７】
図３０及び図３１は剃刀ヘッド１６１を裏側から見た平面図であって、図３０は組み立て後の状態、図３１は組み立て前の状態を示す。図３０に示された組み立てられた状態の剃刀ヘッド１６１をヘッド支持部に取り付けることで、把持部、ヘッド支持部、及び剃刀ヘッド１６１を含んだ構成の剃刀となる。詳細は後述するが、図３０及び図３１から判るように、組み立て前の状態ではある程度角度を有する状態で折り曲げられていた４つの爪部１６５ｂが（図３１参照）、組み立て後の状態ではリアケース１６６の裏側に当接するように、長側板６５ｊ及び６５ｋに対して直角に折り曲げられた状態となっている。図３２〜図３４は、図３０の組み立て前の状態の剃刀ヘッド１６１の状態が示されている。
【０２０８】
図３２及び図３３は、剃刀ヘッド１６１の分解斜視図であって、互いに異なる方向から見た図である。図３４は、剃刀ヘッド１６１の分解側面図である。これらの図面では、剃刀ヘッド１６１が組み立てられる前の状態が示されている。
【０２０９】
フロントケース１６５は、主板６５ｃ、長側板６５ｊ及び６５ｋ、ならびに短側板６５ｌ及び６５ｍを含んで構成される。長側板６５ｊ及び６５ｋは、それぞれ本発明の「第１フロント長側板」及び「第２フロント長側板」の一例である。
【０２１０】
長側板６５ｊ及び６５ｋは、それぞれ主板６５ｃの長辺側の上端及び下端から裏側に向かってｚ軸方向（厚み方向）に延在する板である。長側板６５ｊ及び６５ｋには、それぞれ切り欠き部６５ｈ及び６５ｉが形成される。切り欠き部６５ｈ及び６５ｉは、長側板６５ｊ及び６５ｋの、ｘ軸方向（長軸方向）の中央部を含む位置に、ｘ軸方向に一定の長さを有し、かつ裏側からおもて側に向かうようそれぞれ形成される。切り欠き部６５ｈ及び６５ｉは、刃体６２で切断された体毛が通過することで、剃刀ヘッド６１内に体毛が残存することを抑制する機能を有する。また、切り欠き部６５ｈ及び６５ｉは、ヘッド支持部３１から剃刀ヘッド６１を離脱させる際に、ユーザが、指、爪、または治具を引っ掛ける力点となる力点部を有する。これらの構成及び機能は、実施形態のフロントケース６５と同様である。
【０２１１】
切り欠き部６５ｈのｘ軸方向の中央部には、切り欠き部６５ｈの端部からｙ軸方向−側に向かって突出した位置決め突部１６５ｐが形成される。言い換えると、位置決め突部１６５ｐは、切り欠き部６５ｈから延在する板部材が直角に屈曲したものである。また、切り欠き部６５ｉのｘ軸方向の中央部には、切り欠き部６５ｉの端部からｙ軸方向＋側に向かって突出した位置決め突部１６５ｑが形成される。言い換えると、位置決め突部１６５ｑは、切り欠き部６５ｉから延在する板部材が直角に屈曲したものである。位置決め突部１６５ｐ及び１６５ｑは、フロントケース１６５とリアケース１６６とが組み立てられたときに、それぞれリアケース１６６の溝部１６６ｑ及び１６６ｒに挿入される。溝部１６６ｑ及び１６６ｒは、奥側となるｚ軸−側に向かって徐々に幅が狭くなる形状となっている。すなわち、溝部１６６ｑ及び１６６ｒのｘ軸方向の長さ（幅）は、リアケース１６６の底板１６６ｄに近づくにつれて狭くなる。そのため、組み立ての際には、位置決め突部１６５ｐ及び１６５ｑは、最初は溝の幅が広く、フロントケース１６５とリアケース１６６とが近づくにつれて溝の幅が狭くなり、フロントケース１６５とリアケース１６６との位置関係が徐々に定められていく。
【０２１２】
切り欠き部６５ｈの及び６５ｉにおいて、ｘ軸方向（長軸方向）の中央部を中心として対称となる位置には、それぞれ爪部１６５ｂが設けられる。すなわち、爪部１６５ｂは、長側板６５ｊ及び６５ｋの端部から延びるよう形成されている。図３２及び図３３に示すように、組み立て前の状態では、これらの爪部１６５ｂは、長側板６５ｊ及び６５ｋに対して、直角よりも小さい角度で屈曲している。好ましくは、爪部１６５ｂは、組み立て前の状態で、それぞれ長側板６５ｊ及び６５ｋに対して３０度から６０度の傾斜を有している。また、爪部１６５ｂは、それぞれｘ軸方向（長軸方向）において中央部から離れた側の辺が、ｙ軸に対して所定の角度を有するよう傾斜している。
【０２１３】
長側板６５ｋのｘ軸方向（長軸方向）の端部からは、長側板６５ｋに対して平面視で４５度傾斜した傾斜板１６５ｓが延びる。さらに、傾斜板１６５ｓの端部からは、短側板６５ｌ及び６５ｍと平行な延長板１６５ｔが延びている。傾斜板１６５ｓは、剃刀ヘッド１６１が搭載された剃刀が使用される際に剃刀が移動する方向の前側となる。そのため、このように長側板６５ｋのｘ軸方向の端部が直角にならず、途中に傾斜板１６５ｓを有する構成とすることで、剃刀ヘッド１６１を搭載した剃刀を使用する際に使用者の肌に接する鋭角な部分が減少するため、剃刀を快適に使用可能となる。
【０２１４】
フロントケース１６５の開口部６５ａのｙ軸＋側の端部には、ｚ軸−方向に向かって伸びる板部１６５ｕが設けられる。
【０２１５】
リアケース１６６は、底板１６６ｄ、長側板６６ｇ及び６６ｈ、ならびに短側板６６ｉ及び６６ｊを含んで構成される。底板１６６ｄは、変形例４の底板６６ｘと類似しているが、底板１６６は、矩形状部分における長辺の四隅近傍にフロントケース１６５の長側板６５ｊ及び６５ｋに向かってそれぞれ突出した突出部１６６ｓを有する点で相違する。長側板６５ｊに向かって突出する２つの突出部１６６ｓは、長側板６５ｋに向かって突出する２つの突出部１６６ｓに対して、ｙ軸方向（短軸方向）において線対称となる位置に設けられている。これらの突出部１６６ｓは、外側に位置するフロントケース１６５に対して、内側に位置するリアケース１６６が移動することを抑制する。そのため、フロントケース１６５に対するリアケース１６６の位置が安定し、がたつきを抑制することができる。
【０２１６】
長側板６６ｇ及び６６ｈは、変形例４と同様に、底板１６６ｄのｙ軸方向の端部から、ｚ軸方向に延びるよう形成される。組み立てられた状態では、長側板６６ｇ及び６６ｈの端面は、フロントケース１６５の主板６５ｃに対向した状態となる。長側板６６ｇ及び６６ｈの端面は、フロントケース１６５の主板６５ｃに当接させてもよい。短側板６６ｉ及び６６ｊは、変形例４と同様に、底板１６６ｄのｘ軸方向の端部から、ｚ軸方向に延びるよう形成される。長側板６６ｇ及び６６ｈは、それぞれ本発明の「第１リア長側板」及び「第２リア長側板」の一例である。なお、本明細書で「対向する」という場合には、間隙を設けつつ対向する場合と、当接して対向する場合との双方を含む。
【０２１７】
リアケース１６６は、フロントケース１６５の４つの爪部１６５ｂに対向する位置に、それぞれ凹部１６６ｐが形成される。凹部１６６ｐは、リアケース１６６の底板１６６ｄと、長側板６６ｇまたは６６ｈとの角を含む位置に、矩形状の貫通孔として形成される。この凹部１６６ｐの、ｘ軸方向（長軸方向）の中央部から離れた側の辺は、爪部１６５ｂと当接する。凹部１６６ｐはｙ軸に平行に延びているのに対して、当該位置に当接する爪部１６５ｂはｙ軸に対して傾斜を有している。つまり、爪部１６５ｂは、それぞれ対応する凹部１６６ｐと、ｘ軸方向（長軸方向）において傾斜を有して当接している。これにより、フロントケース１６５及びリアケース１６６に多少のサイズの誤差が発生した場合であっても、フロントケース１６５に対するリアケース１６６の位置を安定させることが可能となっている。
【０２１８】
刃体１６２は、図３２及び図３３に示されるように、３つの刃１６２ａと、刃支持体１６２ｂと、板ばね１６２ｃを含んで構成される。刃１６２ａは、それぞれ刃支持体１６２ｂに載置される。刃１６２ａと刃支持体１６２ｂとは溶接により連結されるが、接着剤等の別の手段で連結されてもよい。刃支持体１６２ｂの四隅近傍には、ｘ軸方向（長軸方向）及びｚ軸−方向に延びる４つの板ばね１６２ｃが設けられる。板ばね１６２ｃは、剃刀ヘッド１６１が組み立てられた状態では、リアケース１６６の底板１６６ｄに当接し、刃支持体１６２ｂに載置された刃１６２ａをフロントケース１６５側に付勢する。板ばね１６２ｃが当接する底板１６６ｄと、刃１６２ａが当接するフロントケース１６５の主板６５ｃとは、いずれも十分な剛性を有する金属で形成されているため、板ばね１６２ｃのたわみは一定となる。これによって、刃１６２ａはｚ軸＋方向（厚み方向）に所定の付勢力を受けるため、使用時に使用者が肌に剃刀ヘッド１６１を押し当てたとき、適度な圧力で使用者の肌に接するようになる。そのため、当該剃刀ヘッド１６１を備えた剃刀では、適切な剃り具合を実現しつつ、使用者の肌への負担を軽減させた構成となる。なお、刃１６２ａの数は任意に変更可能である。刃支持部１６２ｂ及び板ばね１６２ｃは、本発明の「弾性部材」の一例である。
【０２１９】
フロントケース１６５とリアケース１６６とが組み立てられた状態では、フロントケース１６５によりリアケース１６６が保持されることで枠体が形成された構成となっている。このとき、ｙ軸方向では、フロントケース１６５の長側板６５ｊおよび６５ｋの内面間に、リアケース１６６の長側板６６ｇ及び６６ｈが位置する。ｘ軸方向では、フロントケース１６５の短側板６５ｌ及び６５ｍの内面間に、リアケース１６６の短側板６６ｉ及び６６ｊが位置する。すなわち、使用時には、フロントケース１６５の主板６５ｃが使用者の肌に接することとなるが、ｚ軸＋側では上記のようにフロントケース１６５に覆われるようにリアケース１６６が配置された構成とし、リアケース１６６の長側板６６ｇ及び６６ｈ、ならびに短側板６６ｉ及び６６ｊの端面がｚ軸＋側に露出しないような構成としている。このため、使用時に使用者の肌に長側板６６ｇ及び６６ｈ、ならびに短側板６６ｉ及び６６ｊの端面が接することが防止でき、長側板６６ｇ及び６６ｈ、ならびに短側板６６ｉ及び６６ｊの端面に形成時に発生したバリが残っていたとしても、このようなバリが使用者の肌に接することを防止できる構成となっている。また、フロントケース１６５の長側板６５ｊ及び６５ｋ、ならびに短側板６５ｌ及び６５ｍはｚ軸−側に延びている。そのため、これらの長側板６５ｊ及び６５ｋ、ならびに短側板６５ｌ及び６５ｍの端面に形成時に発生したバリが残っていたとしても、このようなバリが使用者の肌に接しない構成となっている。
【０２２０】
＜剃刀ヘッド１６１の組み立て＞
剃刀ヘッド１６１の組み立て方法について具体的に説明する。
【０２２１】
まず、板状の金属を搬送方向に順送りしながら、複数の工程が組み込まれた金型によってプレス加工を行うことで、打ち抜き加工及び曲げ加工を行い、フロントケース１６５及びリアケース１６６を成形する。すなわち、フロントケース１６５及びリアケース１６６は順送プレス加工により成形される。このとき、図３４に示されるように、フロントケース１６５の爪部１６５ｂは、直角より小さい角度でｙ軸方向（短軸方向）の内側に向かって屈曲させられる。これにより、爪部１６５ｂは、長側板６５ｊ及び６５ｋに対して、３０度から６０度の傾斜を有する状態となる。なお、長側板６５ｊ及び６５ｋに対する爪部１６５ｂの傾斜角度は任意に変更可能であるが、本変形例では、当該角度をそれぞれ４５度としている。このとき、図３４に示すように、ｙ軸方向（短軸方向）における爪部１６５ｂの端部間の距離Ａは、ｙ軸方向（短軸方向）におけるリアケース１６６の長側板６６ｈ及び６６ｇの外面間の距離Ｂよりも大きくなっている。すなわち、爪部１６５ｂは、ｙ軸方向で互いに対向する爪部１６５ｂ間をリアケース１６６が通過できる程度にそれぞれが傾斜した状態となる。
【０２２２】
次に、フロントケース１６５に刃体１６２を載置する。これにより、フロントケース１６５の主板６５ｃのｚ軸−側の面に刃体１６２の刃１６２ａが当接する。次いで、フロントケース１６５にリアケース１６６を載置する。これにより、リアケース１６６の底板１６６ｄのｚ軸＋側の面に、刃体１６２の板ばね１６２ｃが当接し、主板６５ｃにリアケース１６６の長側板６６ｇ及び６６ｈの端面が近接しつつ対向した状態となる。リアケース１６６の長側板６６ｇ及び６６ｈの端面は、主板６５ｃに当接させてもよい。このとき、組み立て途中の剃刀ヘッド１６１は図３１に示した状態となる。
【０２２３】
次に、ｚ軸＋側に向かって爪部１６５ｂを押圧して屈曲させ、爪部１６５ｂがリアケース１６６のｚ軸−側に当接した状態にする。具体的には、図３０に示されるように、爪部１６５ｂは凹部１６６ｐが設けられた箇所に当接するため、爪部１６５ｂは、ｚ軸方向では長側板６６ｇ及び６６ｈの端面に当接するとともに、ｘ軸方向では凹部１６６ｐに当接する状態となる。
【０２２４】
このようにして、フロントケース１６５及びリアケース１６６により構成された枠体に刃体１６２が収容された剃刀ヘッド１６１が組み立てられる。当該組み立て工程において、フロントケース１６５に刃体１６２を載置する工程以降の工程は、いずれもｚ軸−側からｚ軸＋側に向けて、すなわちリアケース１６６側からフロントケース１６５側に向けて、刃体１６２及びリアケース１６６の移動、ならびに爪部１６５ｂへの押圧力の付与を行っている。つまり、順送プレス加工による成型が完了したフロントケース１６５及びリアケース１６６を組み立てる工程では、一つの方向への部材及び治具の移動を行うだけでよくなる。これにより、当該剃刀ヘッド１６１の組み立てでは、工程が複雑化することを抑制し、比較的簡易に組み立て可能になっている。
【０２２５】
＜２．本発明の特徴＞
以上、実施形態を例示して説明した本発明は、以下のような特徴を有する。
【０２２６】
上記構成の、把持部１１に幅狭部１１ｃを有し、幅狭部１１ｃからヘッド支持部３１と逆側の下端部４０ｄに向かって幅方向に広がるよう形成される剃刀１によれば、平面状の剃刀１の外形を矩形状とせずに角を丸くすることができるので、紙の使用量を低減することができる。また、剃刀１の外形を矩形状としないことで、デザインの自由度が高まり、本体をコンパクトにすることができる。さらに、ユーザが剃刀１を使用する際には幅狭部１１ｃ近傍にユーザの人差指及び親指が位置することとなるが、幅狭部１１ｃがあることでユーザの手指が下側に抜けてしまうことを抑制可能な構成にすることができる。
【０２２７】
また、上記構成の、中心線ＣＬに沿って頂点１７から下端部４０ｄにかけて中心折り目４１が形成され、連結部４６ａ及び４６ｂに沿って連結折り目４２ａ及び４２ｂが形成され、組み立て時には、使用者によって連結折り目４２ａ及び４２ｂならびに中心折り目４１に沿って折り曲げられる構成により、中心折り目４１に沿って把持部１１を折り曲げると、中心折り目４１に連なる連結折り目４２ａ及び４２ｂも無理なく折り曲げることができる。同様に、組み立て時において、連結折り目４２ａ及び４２ｂに沿って把持部１１を折り曲げると、連結折り目４２ａ及び４２ｂに連なる中心折り目４１も無理なく折り曲げることができる。つまり、たとえばユーザがワンタッチで剃刀１を組立可能になるなど、剃刀１の組み立てに要する工数を低減し、剃刀１の組み立てを容易にすることができる。これにより、使用者が、剃刀１を使用可能な状態にするまでの煩雑な操作が不要な構成にすることができる。また、連結折り目４２ａ及び４２ｂが折り曲げられる際に、ヘッド支持部３１を腹部２２ａ及び２２ｂ側に向かってスムーズに屈曲させることができる。
【０２２８】
また、上記構成の、ヘッド支持部３１と逆側の下端部４０ｄが湾曲形状になっている剃刀１によれば、組み立て後の状態において、下端部４０ｄ近傍を直線状に形成せずに丸くすることができる。これにより、例えば、下端部４０ｄ近傍にユーザの手指が接触したり、剃刀１の持ち方によって、ユーザが下端部４０ｄ近傍を掴んでしまったりしても、ユーザが不快感を覚えてしまうことを抑制することができる。つまり、ユーザが不快感を覚えることを避けられる剃刀を提供することができる。
【０２２９】
また、上記構成の、剃刀ヘッド６１が幅方向の両端近傍に矩形かつ実質的に平面状の矩形平面部６６ａ及び６６ｂをそれぞれ有し、これら２つの矩形平面部６６ａ及び６６ｂが矩形部３２の貼り付け面３２ａに接着される構成により、剥がしやすさを考慮した適度な強度で剃刀ヘッド６１と矩形部３２とを接着することができる。これにより、剃刀ヘッド６１を破損することなく本体４０と剃刀ヘッド６１との分離を容易にすることができるので、分離時に剃刀１の刃体６２が剥き出しになることを抑制し、安全性を配慮した剃刀１を提供することができる。
【０２３０】
また、上記構成の、組み立て後の状態において、背部２１から連続したヘッド支持部３１が腹部２２ａ及び２２ｂに向かって屈曲し、剃刀ヘッド６１が矩形部３２の背部２１側の貼り付け面３２ａに配置される構成により、剃刀ヘッド６１と貼り付け面３２ａとを略平行にすることができるので、ユーザが把持部１１を操作するときに、肌に面接触する角度で剃刀ヘッド６１の刃を肌に押し当てることができる。また、刃に外力が加わった場合に、矩形部３２の背部２１側の面と略直交する方向にその外力を受ける従来構成と異なり、貼り付け面３２ａに沿ってその外力を受けることができるので、ヘッド支持部３１から剃刀ヘッド６１が脱落したり、外力によって本体４０の一部が破損したりすることを抑制することができる。
【０２３１】
また、上記構成の、折り曲げ部１４ａ及び１４ｂが、それぞれ把持部１１の縁部１２ａ及び１２ｂに沿って外側に突出するよう形成されるとともに、中心線ＣＬ側に折り曲げ可能であり、かつ把持部１１の幅よりも小さい幅を有する構成により、把持部１１の腹部２２ａ及び２２ｂが丸みを持った形状となり、把持部１１をユーザにとって持ちやすい形状にすることができる。また、ユーザの指が当接する可能性が高い腹部２２ａ及び２２ｂに鋭利な部分が形成されないので、安全性に配慮した剃刀を提供することができる。
【０２３２】
また、上記剃刀５では、ヘッド固定部１００が、ヘッド支持部３１の把持部１１側とは逆側に設けられ、折り曲げられてヘッド固定部１００またはヘッド支持部３１と嵌合されるため、ヘッド固定部１００との嵌合によって把持部１１またはヘッド支持部３１の剛性を高めることができる。これにより、剃刀ヘッド６１の位置を安定させることができるので、剃刀５が紙で形成されているにも関わらず、把持部１１またはヘッド支持部３１に類するものが樹脂または金属などで形成された他の高剛性の剃刀と同様の操作感で使用することができる。
【０２３３】
また、上記剃刀５及び剃刀６では、把持部１１は、長手方向と交わる面における断面が多角形状で固定されるよう組み立てられるため、把持部１１を把持したときの把持部１１の形状の変化を抑制して把持部１１の形状を安定させることができる。これにより、把持部１１を握りやすくすることができるとともに、剃刀５及び６が紙で形成されているにも関わらず、把持部１１またはヘッド支持部３１に類するものが樹脂または金属などで形成された他の高剛性の剃刀と同様の操作感で使用することができる。
【０２３４】
また、上記剃刀５では、組み立て前の状態において、把持部１１は、長手方向に延びる長孔部１８を有しているため、長孔部に使用者の指の腹を添えたときに、長孔部の縁と使用者の指との間で摩擦を発生させることで、使用者の指がかかる部分を形成することができる。これにより、滑りを抑制しながら剃刀を把持しやすくすることができる。
【０２３５】
また、上記剃刀１では、剃刀ヘッド６１の把持部１１側のはみ出し部分６１ａ及び６１ｂが、ヘッド支持部３１の矩形部３２から把持部１１側に突出しており、使用後には剃刀ヘッド６１がヘッド支持部３１から分離可能なため、組み立て時に連結折り目４２ａ及び４２ｂが折れ曲がるときに、連結折り目４２ａ及び４２ｂに沿って枝分かれした把持部１１の先細り形状した部分がはみ出し部分６１ａ及び６１ｂから離れ、はみ出し部分６１ａ及び６１ｂを露出させることができる。これにより、ユーザの指をかける部分を剃刀ヘッド６１に形成することができるので、ユーザは、はみ出し部分６１ａ及び６１ｂに指をかけて、剃刀ヘッド６１を剃刀１から安全に分離することができる。そして、分離後の剃刀ヘッド６１全体が金属で形成され、把持部１１及びヘッド支持部３１が紙で一体的に形成されている構成により、剃刀ヘッド６１を剃刀１から分離する一手間だけで、使用後の剃刀１を金属素材と紙素材とに分別することができる。これにより、素材ごとの分離を容易にすることができるとともに、簡易かつ経済的にリサイクルを実行することができる。つまり、使用後の剃刀を有効にリサイクルさせ、リサイクルのために本体４０と剃刀ヘッド６１とを分離しようとするユーザの安全性が配慮された剃刀を提供することができる。
【０２３６】
また、剃刀ヘッド６１の把持部１１側のはみ出し部分６１ａ及び６１ｂが、ヘッド支持部３１の矩形部３２から把持部１１側に突出するよう矩形部３２に接着された構成により、剃刀ヘッド６１を三角形部３３の頂点１７の近くに配置させることができる。この三角形部３３の頂点１７近傍は、屈曲方向への外力がヘッド支持部３１に加わったときに、変形量が抑制されるため、組み立て後の状態において、腹部２２ａ及び２２ｂ側に向かって屈曲したヘッド支持部３１の屈曲方向へのしなりを適度に抑制し、剃刀ヘッド６１の屈曲方向についての位置を安定させることができる。
【０２３７】
また、上記剃刀１では、ヘッド支持部３１及び把持部１１が、ユーザが剃刀ヘッド６１を肌に接触させたとき、剃刀ヘッド６１がユーザの肌に付勢されるよう弾性的に変形するため、紙で形成された把持部１１及びヘッド支持部３１が適度な弾性を有し、肌に過度な圧力が与えられることを抑制することができる。
【０２３８】
また、上記剃刀１では、挿入部５１が、中心線ＣＬに対して一方側に形成され、押圧することで変形し、挿入孔部５２が、中心線ＣＬに対して他方側の、組み立て後の状態において挿入部５１に対向する位置に形成され、押圧することで変形する。そして、組み立て後の状態では、挿入部５１が挿入孔部５２に挿入され嵌合することで把持部１１が中心折り目４１に沿って折り曲げられた状態で固定される。これにより、組み立て後の状態において、挿入部５１と挿入孔部５２とが篏合することによって中心折り目４１部分の紙の弾性によって把持部１１の腹部２２ａ及び２２ｂ側が開いてしまうことを抑制することができるので、把持部１１をユーザにとって持ちやすい形状で維持することができる。また、ヘッド支持部３１の屈曲が背部２１側に戻ってしまうことを抑制することができるので、ヘッド支持部３１を把持部１１に対して適度に屈曲した状態で維持することができる。
【０２３９】
また、上記の変形例２の剃刀３では、組み立て後の状態において、切り込み部７１が背部２１から腹部２２ａ及び２２ｂに向かうよう形成され、切り込み部７１を折り曲げることで把持部１１が中心折り目４１に沿って折り曲げられた状態で固定される。これにより、組み立て後の状態において、中心折り目４１部分の紙の弾性によって把持部１１の腹側が開いてしまうことを抑制することができるので、把持部１１をユーザにとって持ちやすい形状で維持することができる。また、ヘッド支持部３１の屈曲が背部２１側に戻ってしまうことを抑制することができるので、ヘッド支持部３１を把持部１１に対して適度に屈曲した状態で維持することができる。
【０２４０】
また、上記の変形例３の剃刀４では、組み立て前の状態において、右側突出部８１が縁部１２ａ及び１２ｂのうち、一方の縁部から外側に突出するよう形成され、切り欠き部８２が他方の縁部に形成される。そして、組み立て後の状態では、右側突出部８１が切り欠き部８２に挿入され嵌合することで把持部１１が中心折り目４１に沿って折り曲げられた状態で固定される。これにより、組み立て後の状態において、中心折り目４１部分の紙の弾性によって把持部１１の腹側が開いてしまうことを抑制することができるので、把持部１１をユーザにとって持ちやすい形状で維持することができる。また、ヘッド支持部３１の屈曲が背部２１側に戻ってしまうことを抑制することができるので、ヘッド支持部３１を把持部１１に対して適度に屈曲した状態で維持することができる。
【０２４１】
＜３．補足事項＞
以上、本発明の実施形態及び変形例についての具体的な説明を行った。上記説明は、あくまで一構成例及び一作動例としての説明であって、本発明の範囲はこれらの実施形態及び変形例に留まらず、同様の技術思想に基づいて当業者が把握可能な範囲にまで広く解釈されるものである。
【産業上の利用可能性】
【０２４２】
本発明の剃刀は、環境保護に貢献する剃刀などとして好適に適用される。
【符号の説明】
【０２４３】
１、２、３、４、５、６…剃刀
１１ａ、１１ｂ…把持部
１１ｃ…幅狭部
１１ｄ…幅広部
１２ａ、１２ｂ…縁部
１４ａ、１４ｂ…折り曲げ部
１５ａ、１５ｂ…切り欠き部
１６ａ、１６ｂ…縁
１７…頂点
１８…長孔部
２１…背部
２２ａ、２２ｂ…腹部
３１…ヘッド支持部
３２…矩形部
３２ａ…貼り付け面
３３…三角形部
３５ａ…右端支持部
３５ｂ…左端支持部
４０…本体
４０ｄ…下端部
４１…中心折り目
４２ａ、４２ｂ…連結折り目
４３ａ、４３ｂ…反転折り目
４６ａ、４６ｂ…連結部
５１…挿入部
５２…挿入孔部
６１、１６１…剃刀ヘッド
６１ａ、６１ｂ…はみ出し部分
６２…刃体
６４…接着剤
６５、６５ｘ、１６５…フロントケース
６５ｈ、６５ｉ…切り欠き部
６６、６６ｘ、１６６…リアケース
７１…切り込み部
８１…右側突出部
８２…切り欠き部
１００…ヘッド固定部
１０１…折り目
１０２…裏蓋部
１０２ａ…くびれ部
１０３ａ、１０３ｂ…差込部
１０４ａ、１０４ｂ…折り目
２００…台紙
【要約】
【課題】リサイクル及び分別廃棄しやすい、全体が金属で形成された剃刀ヘッドを提供する。
【解決手段】本発明の剃刀ヘッドは、刃体と、刃体を収容するフロントケース及びリアケースを含んで構成された枠体とを備えた剃刀ヘッドである。フロントケースは、主板と、第１フロント長側板と、第２フロント長側板と、第１爪部、第２爪部、第３爪部及び第４爪部と、を有する。リアケースは、底板と、第１リア長側板と、第２リア長側板と、を有する。刃体は、刃と、弾性部材とを有する。第１爪部、第２爪部、第３爪部、及び第４爪部は、リアケースのフロントケースの側とは逆側の位置に当接することで、リアケースの移動を規制する。第１リア長側板及び第２リア長側板は、第１フロント長側板及び第２フロント長側板の間に位置する。刃体及び枠体は全体が金属で形成されている。
【選択図】図３２【図１】
0006858478.tif 000002
【図２】
0006858478.tif 000003
【図３】
0006858478.tif 000004
【図４】
0006858478.tif 000005
【図５】
0006858478.tif 000006
【図６】
0006858478.tif 000007
【図７】
0006858478.tif 000008
【図８】
0006858478.tif 000009
【図９】
0006858478.tif 000010
【図１０】
0006858478.tif 000011
【図１１】
0006858478.tif 000012
【図１２】
0006858478.tif 000013
【図１３】
0006858478.tif 000014
【図１４】
0006858478.tif 000015
【図１５】
0006858478.tif 000016
【図１６】
0006858478.tif 000017
【図１７】
0006858478.tif 000018
【図１８】
0006858478.tif 000019
【図１９】
0006858478.tif 000020
【図２０】
0006858478.tif 000021
【図２１】
0006858478.tif 000022
【図２２】
0006858478.tif 000023
【図２３】
0006858478.tif 000024
【図２４】
0006858478.tif 000025
【図２５】
0006858478.tif 000026
【図２６】
0006858478.tif 000027
【図２７】
0006858478.tif 000028
【図２８】
0006858478.tif 000029
【図２９】
0006858478.tif 000030
【図３０】
0006858478.tif 000031
【図３１】
0006858478.tif 000032
【図３２】
0006858478.tif 000033
【図３３】
0006858478.tif 000034
【図３４】
0006858478.tif 000035